(57)【要約】【課題】自車両からドライバの意思に基づく適切なメッセージを、送信先として相応しい他車両へと自動で送信することを目的としている。【解決手段】対象車両抽出部１０２は、自車両の周辺に存在する周辺車両の識別情報、位置情報及び運動状態に関する情報（周辺車両情報）と自車両の位置情報及び運動状態に関する情報（自車両情報）とに基づき、自車両の通行に影響のある対象車両を抽出する。交通シーン判定部１０３は、周辺車両情報及び自車両情報に基づき、自車両と対象車両との間で発生する交通シーンを判定する。送信メッセージ選択部１０７は、判定した交通シーンに対応し、かつドライバの発話内容から推定されるドライバの意思に応じた内容のメッセージに対応するコード情報を選択する。メッセージ情報送信部１０８は、選択したコード情報を通信装置３６を介して対象車両に送信する。【選択図】        図２
2012252407.tif 000002
【特許請求の範囲】
【請求項１】
自車両の通行に影響を与える可能性のある他車両と自車両との間でメッセージの通信を行って、自車両と他車両との間の通行を支援する車両用通行支援装置であって、
自車両の周辺に存在する周辺車両と通信を行って前記周辺車両の識別情報、位置情報及び車両運動状態に関する情報を含む周辺車両情報を収集する周辺車両情報収集手段と、
自車両の位置情報及び車両運動状態に関する情報を含む自車両情報を収集する自車両情報収集手段と、
前記周辺車両情報収集手段で収集した周辺車両情報と、前記自車両情報収集手段で収集した自車両情報とに基づき、前記周辺車両の中から自車両の通行に影響のある対象車両を抽出する対象車両抽出手段と、
前記周辺車両情報収集手段で収集した周辺車両情報のうち前記対象車両の情報と、前記自車両情報収集手段で収集した自車両情報とに基づき、自車両と対象車両との間で発生する交通シーンを判定する交通シーン判定手段と、
各交通シーンの内容に対応する複数種類のメッセージ情報を記憶しているメッセージ情報記憶手段と、
ドライバの発話音声の情報を入力するドライバ情報入力手段と、
前記交通シーン判定手段で判定した交通シーンと、前記ドライバ情報入力手段で入力した発話音声の情報とに基づき、前記メッセージ情報記憶手段に記憶された複数種類のメッセージ情報から、前記判定した交通シーンの内容に対応しかつ発話内容から推定されるドライバの意思に応じた内容のメッセージ情報を選択する送信メッセージ選択手段と、
前記対象車両の識別情報に基づき、前記送信メッセージ選択手段で選択したメッセージ情報を前記対象車両に送信するメッセージ情報送信手段と、
前記周辺車両からの送信要求に応じて、自車両の識別情報と前記自車両情報収集手段で収集した自車両情報とを送信要求元の前記周辺車両に送信する自車両情報送信手段と、
前記周辺車両から送信されたメッセージ情報を受信するメッセージ情報受信手段と、
前記メッセージ情報受信手段で受信したメッセージ情報に基づき前記周辺車両からのメッセージを前記ドライバに提示するメッセージ提示手段と、を備えることを特徴とする車両用通行支援装置。
【請求項２】
自車両及び対象車両の位置情報に基づき検出した自車両及び対象車両の位置関係と、自車両及び対象車両の車両運動状態に関する情報に基づき検出した自車両及び対象車両の各車両の挙動とに基づき、前記交通シーンにおける自車両と対象車両との間の各車両の進路に対する優先・非優先の関係を判定する優先関係判定手段を備え、
前記優先関係判定手段で判定した前記優先・非優先の関係と、前記交通シーン判定手段で判定した交通シーンと、前記メッセージ情報記憶手段に記憶された複数種類のメッセージ情報とに基づき、前記判定した交通シーンと、前記優先・非優先の関係とに応じたメッセージ情報の候補リストを作成する候補リスト作成手段と、を備え、
前記送信メッセージ選択手段は、前記候補リスト作成手段で作成した候補リストから、前記ドライバの意思に応じた内容のメッセージ情報を選択することを特徴とする請求項１に記載の車両用通行支援装置。
【請求項３】
前記送信メッセージ選択手段は、前記優先関係判定手段で判定した前記優先・非優先の関係と、前記ドライバ情報入力手段で入力した発話音声の情報とに基づき、自車両が優先側であると判定されると、前記ドライバの発話情報から認識されるメッセージと、予め設定された進路の譲歩に関するメッセージ及び進路の譲歩拒否に関するメッセージとをそれぞれ比較し、最も近い意味合いを有すると判定されたメッセージに対応するメッセージ情報を前記候補リストから選択することを特徴とする請求項２に記載の車両用通行支援装置。
【請求項４】
前記優先関係判定手段で判定した前記優先・非優先の関係に基づき、自車両が非優先でありかつ対象車両が優先であると判定した場合に、対象車両から進路の譲歩に関するメッセージ情報を前記メッセージ情報受信手段で受信したと判定し、かつ前記自車両情報に基づき自車両が予め設定された時間内に譲歩を受けた進路の通行を完了したと判定すると、対象車両に対して自動的にお礼に関するメッセージ情報を送信するお礼メッセージ情報自動送信手段を備えることを特徴とする請求項２又は請求項３に記載の車両用通行支援装置。
【請求項５】
前記交通シーン判定手段は、自車両及び対象車両の位置関係と、自車両及び対象車両の挙動とに基づき、対象車両が自車両の走行車線に対して交差する走行車線に位置し、かつ自車両と対象車両の進行方向が交差する方向であると判定すると、自車両と対象車両とが出会い頭に遭遇する出会い頭のシーンが発生すると判定し、
前記優先関係判定手段は、交通シーン判定手段の判定結果に基づき、前記出会い頭のシーンが発生したと判定した場合に、自車両及び対象車両の位置関係と、自車両及び対象車両の挙動とに基づき、対象車両が自車両の走行車線に対して交差する向きで停止していると判定するか又は対象車両が自車両の走行車線に対して交差する向きに予め設定した速度閾値以下の速度で移動していると判定すると、対象車両を非優先側の車両と判定することを特徴とする請求項２乃至請求項４のいずれか１項に記載の車両用通行支援装置。
【請求項６】
前記交通シーン判定手段は、自車両及び対象車両の位置関係と、自車両及び対象車両の挙動とに基づき、対象車両が自車両の走行車線に対して対向する走行車線に位置していると判定すると、右折のシーンが発生すると判定し、
前記優先関係判定手段は、交通シーン判定手段の判定結果に基づき、前記右折のシーンが発生すると判定した場合に、自車両及び対象車両の位置関係と、自車両及び対象車両の挙動とに基づき、対象車両が自車両と対向して停止していると判定するか又は前記対象車両が自車両と対向する方向に予め設定した速度閾値以下の速度で移動していると判定すると、対象車両を非優先側の車両と判定することを特徴とする請求項２乃至請求項５のいずれか１項に記載の車両用通行支援装置。
【請求項７】
前記ドライバ情報入力手段は、前記ドライバの手振りの撮影画像情報を入力し、
前記送信メッセージ選択手段は、前記手振りの撮影画像情報に基づき前記ドライバの意思を推定し、前記対象車両に送信するメッセージとして、前記推定したドライバの意思に応じた内容のメッセージ情報を選択することを特徴とする請求項１乃至請求項６のいずれか１項に記載の車両用通行支援装置。
【請求項８】
前記ドライバ情報入力手段は、前記ドライバの表情の撮影画像情報を入力し、
前記送信メッセージ選択手段は、前記ドライバの表情の撮影画像情報に基づき前記ドライバの意思を推定し、前記対象車両に送信するメッセージとして、前記推定したドライバの意思に応じた内容のメッセージ情報を選択することを特徴とする請求項１乃至請求項７のいずれか１項に記載の車両用通行支援装置。
【請求項９】
自車両の位置情報に応じた場所の道路地図情報を検索可能な道路地図データベースを備え、
前記自車両情報収集手段は、前記自車両の位置情報に応じた道路地図情報を自車両情報として更に収集することを特徴とする請求項１乃至請求項８のいずれか１項に記載の車両用通行支援装置。
【請求項１０】
前記自車両の位置情報に応じた道路地図情報に基づき、自車両の位置する場所が、信号機を備えた交差点であると判定すると、当該交差点における通行支援に係る処理の実行を制限する制限手段を備えることを特徴とする請求項９に記載の車両用通行支援装置。
【請求項１１】
前記自車両情報収集手段は、前記自車両情報として、車両の運転を支援する情報を提供する外部装置と通信を行って自車両周辺の交通情報を更に収集することを特徴とする請求項１乃至請求項８のいずれか１項に記載の車両用通行支援装置。
【請求項１２】
前記交通情報に基づき、自車両の位置する場所が、信号機を備えた交差点であると判定すると、当該交差点における通行支援に係る処理の実行を制限する制限手段を備えることを特徴とする請求項１１に記載の車両用通行支援装置。
【請求項１３】
自車両の通行に影響を与える可能性のある他車両との間でメッセージの通信を行って、自車両と他車両との間の通行を支援する車両用通行支援方法であって、
自車両の周辺に存在する周辺車両の識別情報、位置情報及び車両運動状態に関する情報を含む周辺車両情報と、自車両の位置情報及び車両運動状態に関する情報を含む自車両情報とに基づき、前記周辺車両の中から自車両の通行に影響のある対象車両を抽出する対象車両抽出ステップと、
前記周辺車両情報のうち前記対象車両の情報と、前記自車両情報とに基づき、自車両と対象車両との間で発生する交通シーンを判定する交通シーン判定ステップと、
ドライバの発話音声の情報を入力するドライバ情報入力ステップと、
前記交通シーン判定ステップにおいて判定した交通シーンと、前記ドライバ情報入力ステップにおいて入力した発話音声の情報とに基づき、各交通シーンの内容に対応した複数種類のメッセージ情報から、前記判定した交通シーンの内容に対応しかつ発話内容から推定されるドライバの意思に応じた内容のメッセージ情報を選択する送信メッセージ選択ステップと、
前記対象車両の識別情報に基づき、前記送信メッセージ選択ステップにおいて選択したメッセージ情報を前記対象車両に送信するメッセージ情報送信ステップと、
前記周辺車両からの送信要求に応じて、自車両の識別情報と前記自車両情報とを送信要求元の前記周辺車両に送信する自車両情報送信ステップと、
前記周辺車両から送信されたメッセージ情報を受信するメッセージ情報受信ステップと、
前記メッセージ情報受信ステップにおいて受信したメッセージ情報に基づき前記周辺車両からのメッセージを前記ドライバに提示するメッセージ提示ステップと、を含むことを特徴とする車両用通行支援方法。
【発明の詳細な説明】
【技術分野】
【０００１】
本発明は、自車両の通行に影響を与える可能性のある他車両との間でメッセージの通信を行うことで自車両と他車両との間の通行を支援する技術に関する。
【背景技術】
【０００２】
車車間でメッセージの通信を行って進路の譲歩等の通行支援を行う技術として、例えば特許文献１に記載の技術がある。この特許文献１の従来技術では、進路への進入可否打診のための譲歩依頼メッセージと、譲歩依頼メッセージ応諾に対するお礼メッセージと、を含む複数メッセージのうちの一のメッセージ信号を含む信号を他車両に送信する。加えて、他車両からメッセージ信号を受信するようにし、自車両から他車両へのお礼メッセージ信号の送信に関し、自車両が他車両の進路への進入を完了したことに相応する許容条件を充足している場合にその送信を許容する。
【先行技術文献】
【特許文献】
【０００３】
【特許文献１】特開２００７−４８０４２号公報
【発明の概要】
【発明が解決しようとする課題】
【０００４】
しかしながら、上記従来技術では、自車両から他車両にメッセージを送信するにあたって、自車両側のドライバが、送信するメッセージの選択及び選択したメッセージの送信を手動操作で行う必要があった。
本発明は、上記のような点に着目したもので、自車両からドライバの意思に基づく適切なメッセージを、送信先として相応しい他車両へと自動で送信することを目的とする。
【課題を解決するための手段】
【０００５】
上記課題を解決するために、本発明は、周辺車両の識別情報、位置情報及び車両運動状態に関する情報を含む周辺車両情報と、自車両の位置情報及び車両運動状態に関する情報を含む自車両情報とに基づき、周辺車両の中から自車両の通行に影響のある対象車両を抽出する対象車両抽出手段を備える。更に、前記周辺車両情報のうち対象車両の情報と、自車両情報とに基づき、自車両と対象車両との間で発生する交通シーンを判定する交通シーン判定手段と、自車両のドライバの行為に応じて発生する物理現象の情報であるドライバ情報を入力するドライバ情報入力手段とを備える。更に、前記判定した交通シーンと、前記入力した発話音声の情報とに基づき、各交通シーンの内容に応じた複数種類のメッセージ情報から、判定した交通シーンの内容に対応しかつ発話内容から推定されるドライバの意思に応じた内容のメッセージ情報を選択する送信メッセージ選択手段を備える。更に、前記選択したメッセージ情報を対象車両に送信するメッセージ情報送信手段を備える。更に、周辺車両からの送信要求に応じて、自車両の識別情報と自車両情報とを送信要求元の周辺車両に送信する自車両情報送信手段と、周辺車両から送信されたメッセージ情報を受信するメッセージ情報受信手段と、受信したメッセージ情報の示すメッセージをドライバに提示するメッセージ提示手段とを備える。
【発明の効果】
【０００６】
本発明によれば、周辺車両の情報と自車両の情報とから自車両の通行に影響のある対象車両を抽出すると共に、自車両と対象車両との間で発生する交通シーンを判定する。更に、判定した交通シーンの内容に応じたメッセージの候補リストを設定し、設定した候補リストからドライバの意思に応じた内容のメッセージ情報を選択する。そして、選択したメッセージ情報を対象車両に送信する。これにより、自車両からドライバの意思に基づく適切なメッセージを、送信先として相応しい他車両へと自動で送信することが可能となる。
【図面の簡単な説明】
【０００７】
【図１】実施形態に係る車両用通行支援装置を搭載した車両の概略構成である。
【図２】通行支援機能の機能構成の一例を示すブロック図である。
【図３】第１実施形態に係る通行支援処理の処理手順の一例を示すフローチャートである。
【図４】出会い頭のシーンの一例を示す図である。
【図５】出会い頭のシーンにおいて、発話音声に応じた優先側のメッセージに対応するコード情報の送信態様の一例を示す図である。
【図６】右折のシーンの一例を示す図である。
【図７】第２実施形態に係る通行支援処理の処理手順の一例を示すフローチャートである。
【図８】信号機のある交差点における、出会い頭のシーンの一例を示す図である。
【発明を実施するための形態】
【０００８】
〔第１実施形態〕
以下、本発明の第１実施形態を図面に基づき説明する。図１〜図６は、本発明に係る車両用通行支援装置及び車両用通行支援方法の第１実施形態を示す図である。
（構成）
図１は、本実施形態に係る車両用通行支援装置を搭載した車両の概略構成である。
図１に示すように、車両用通行支援装置を搭載した車両は、ブレーキペダル１と、ブレーキブースタ２と、マスターシリンダ３と、ホイールシリンダ４ｉ（ｉ＝ＦＬ、ＦＲ、ＲＬ、ＲＲ）と、ブレーキアクチュエータ５と、コントローラ１０と、を備える。
ブレーキペダル１は、ブレーキブースタ２を介してマスターシリンダ３に連結される。ブレーキブースタ２は、例えば負圧の供給量を変化させることで倍力比を調整できる制御型のブースタであり、コントローラ１０によって駆動制御される。この倍力比の調整により、運転者のペダル操作に対する操作反力が制御される。
【０００９】
マスターシリンダ３と各ホイールシリンダ４ｉ（ｉ＝ＦＬ、ＦＲ、ＲＬ、ＲＲ）との間には、スタビリティ制御（ＶＤＣ：Vehicle Dynamics Control）等に用いられるブレーキアクチュエータ５が介装されている。このブレーキアクチュエータ５は、ソレノイドバルブやポンプ等の油圧機器を備え、これらをコントローラ１０によって駆動制御することにより、運転者のブレーキ操作に関らず各ホイールシリンダ４ｉの液圧を個別に制御することができる。
【００１０】
かかる車両は、更に、駆動力制御装置２０と、エンジン２１と、自動変速機２２と、電子制御スロットルバルブ２３と、レーダ装置３１と、ナビゲーション装置３２と、モニタ３３と、通信装置３６と、オーディオ機器３７と、を備える。
駆動力制御装置２０は、エンジン２１の燃料噴射量や点火時期、自動変速機２２の変速比、及び電子制御スロットルバルブ２３の開度を制御することにより、車両の駆動力を制御する。また、駆動力制御装置２０は、コントローラ１０からの駆動力指令を受けたときは、その駆動力指令に応じて車両の駆動力を制御する。
【００１１】
レーダ装置３１は、車両前方の物体までの車間距離Ｄを検出し、それをコントローラ１０へ入力する。
ナビゲーション装置３２は、道路地図情報（地図データベース）を備え、ＧＰＳで計測した自車両の現在位置（緯度，経度）、及び道路地図情報に基づいて、自車両の進行方向、自車両周辺の道路形状情報、現在位置に応じた道路地図情報、交差点情報等を検出する。ナビゲーション装置３２は、自車両の現在位置、自車両の進行方向、道路形状情報、道路地図情報等の検出情報を、コントローラ１０に入力する。
【００１２】
モニタ３３は、コントローラ１０からの指令に応じて、運転者に通知すべき情報を表示する。
通信装置３６は、コントローラ１０からの指令に応じて、周辺車両の備える同装置との間において、無線通信によって車両情報やメッセージ情報等の送受信を行う。更に、通信装置３６は、無線通信によって、ＤＳＳＳ（driving safety support system）等のインフラストラクチャとの間で交通情報等の送受信を行う。通信装置３６は、周辺車両やインフラストラクチャから受信した各種情報をコントローラ１０に入力する。
【００１３】
通信装置３６は、例えば、使用周波数帯が５．８[GHz]の「ARIB STD T75/T88」、「ITS FORUM RC-005」に準拠した通信装置から構成される。また、例えば、使用周波数帯が０．７[GHz]の「ITS FORUM RC-006」に準拠した通信装置から構成される。
オーディオ機器３７は、アンプ及びスピーカを含んで構成される。アンプは、コントローラ１０からの指令に応じて音響信号を生成し、生成した音響信号をスピーカに入力する。スピーカは、入力した音響信号を物理振動に変換して音響信号の示す音声を出力する。
【００１４】
かかる車両は、更に、ステアリングホイール６と、マイク３８と、ドライバカメラ３９と、メモリ４２と、を備える。
マイク３８は、ステアリングホイール６に取り付けられる。マイク３８は、ドライバの発話音声を入力し、入力した発話音声の信号をコントローラ１０に入力する。
ドライバカメラ３９は、運転席に着席したドライバの上半身を含む領域を撮影し、撮影した画像データをコントローラ１０に送信する。この画像データは、ドライバの手の動作内容（手振り等）を検出するため、またドライバの表情を検出するために利用される。
【００１５】
メモリ４２は、後述する通行支援機能を実現するための専用プログラムや、車両ＩＤ情報、メッセージセット等のプログラムの実行に必要な各種データが格納されている。メモリ４２は、コントローラ１０からの要求に応じて格納された各種データをコントローラ１０に入力する。
ここで、上記メッセージセットは、各交通シーンの内容に対応する複数種類のメッセージの音声情報と各メッセージを識別可能なコード情報とを対応付けてなる複数種類のメッセージ情報から構成されるデータセットである。
かかる車両は、更に、車輪７ｉと、加速度センサ１１と、ヨーレートセンサ１２と、舵角センサ１３と、圧力センサ１４と、車輪速センサ１５ｉと、シフトセンサ１７と、方向指示スイッチ４０と、ブレーキランプスイッチ４１と、を備える。
【００１６】
加速度センサ１１は、車両の前後加速度Ｘｇ及び横加速度Ｙｇを検出し、ヨーレートセンサ１２は、車両のヨーレートγを検出し、舵角センサ１３は、ステアリングホイール６の回転角、つまりドライバのステアリング操作量を検出する。また、圧力センサ１４は、マスターシリンダ３の圧力を検出し、車輪速センサ１５ｉは、車輪７ｉの回転速度を検出する。また、シフトセンサ１７は、シフトポジションを検出する。各検出信号は、コントローラ１０へ入力される。また、方向指示スイッチ４０の左折側及び右折側の各オン・オフの状態を示す信号、ブレーキランプスイッチ４１のオン・オフの状態を示す信号もコントローラ１０へ入力される。
【００１７】
かかる車両は、更に、アクセルセンサ１６と、アクセルペダル３４と、反力モータ３５と、を備える。
アクセルペダル３４には、反力モータ３５が連結され、アクセルセンサ１６は、反力モータ３５の回転角に応じて運転者のアクセル操作量（アクセル開度）を検出しコントローラ１０へ入力する。反力モータ３５は、コントローラ１０によって駆動制御され、この反力モータ３５により、運転者のペダル操作に対する操作反力が制御される。
【００１８】
なお、上記の各種データに左右の方向性がある場合には、何れも左方向を負値とし、右方向を正値とする。すなわち、ヨー角φ及び操舵角δは、左旋回時を負値とし右旋回時を正値とする。
コントローラ１０は、マイクロコンピュータを構成部品として有するユニットである。コントローラ１０は、通行支援機能を実現するための専用のプログラム（通行支援処理プログラム）をマイクロコンピュータの動作周波数で決まる時間周期のタイマ割込みで実行する。
【００１９】
次に、コントローラ１０において専用のプログラムを実行することによって実現される通行支援機能の機能構成を説明する。
図２は、通行支援機能の機能構成の一例を示すブロック図である。
図２に示すように、コントローラ１０は、通行支援機能構成部として、周辺車両情報収集部１００と、自車両情報収集部１０１と、対象車両抽出部１０２と、交通シーン判定部１０３と、優先関係判定部１０４と、候補リスト作成部１０５と、を備える。
【００２０】
コントローラ１０は、更に、ドライバ情報入力部１０６と、送信メッセージ選択部１０７と、メッセージ情報送信部１０８と、自車両情報送信部１０９と、メッセージ情報受信部１１０と、メッセージ提示部１１１と、お礼メッセージ情報自動送信部１１２と、を備える。
周辺車両情報収集部１００は、通信装置３６を介して、予め設定されたサンプリング周期で、自車両の周辺に存在する周辺車両の車両情報を収集する。具体的に、周辺車両情報収集部１００は、通信装置３６を介して、同じ通信装置を備える周辺車両に対して、車両情報の送信要求を送信する。更に、周辺車両情報収集部１００は、通信装置３６を介して受信した周辺車両の車両情報（以下、周辺車両情報と称す）を取得する。周辺車両情報収集部１００は、取得した周辺車両情報を対象車両抽出部１０２に出力する。
【００２１】
周辺車両情報は、例えば、車両ＩＤ、メッセージセットバージョン、タイムスタンプ等の車両の識別や通信制御に関する情報を含む。更に、周辺車両情報は、車両の位置（緯度、経度）、車速、進行方向等の車両の運動状態に関する情報と、方向指示スイッチ４０、ブレーキランプスイッチ４１、ハザードスイッチ、シフトポジション等の車両の装備品の状態に関する情報とを含む。
【００２２】
他にも、道路形状情報、車両周辺の交差点情報、加速度、減速度等の情報も、車両の運動状態に関する情報として含むようにしてもよい。
自車両情報収集部１０１は、自車両の情報（以下、自車両情報と称す）を収集し、収集した自車両情報を、対象車両抽出部１０２と、自車両情報送信部１０９と、お礼メッセージ情報自動送信部１１２とにそれぞれ出力する。
【００２３】
具体的に、自車両情報収集部１０１は、メモリ４２に格納された自車両の識別情報である自車両ＩＤを読み出す。加えて、自車両情報収集部１０１は、ナビゲーション装置３２から自車位置の情報、自車位置に応じた道路地図情報等を収集する。更に、自車両情報収集部１０１は、各種センサから入力されるセンサ検出信号に基づき車両の運動状態に関する情報を収集する。更に、自車両情報収集部１０１は、各種スイッチから入力されるスイッチ信号に基づき、各種装備品の状態に関する情報を収集する。このようにして収集した情報を自車両情報として、各構成部に出力する。
なお、自車両情報は、上記周辺車両情報と同様の情報となる。
【００２４】
対象車両抽出部１０２は、周辺車両情報を収集した周辺車両の中から、自車両の通行に影響のある対象車両を抽出する。具体的に、対象車両抽出部１０２は、上記収集した周辺車両情報と自車両情報とから、周辺車両と自車両との位置情報と、周辺車両と自車両の進行方向の情報とを抽出する。そして、抽出した位置情報から周辺車両と自車両との位置関係を演算する。更に、対象車両抽出部１０２は、演算した位置関係と、自車両及び周辺車両の進行方向の情報とに基づき、自車両の通行に影響を与える可能性のある車両（以下、対象車両と称す）を抽出する。ここで通行に影響を与える可能性のある車両とは、お互いの車両の進路（走行軌跡）が将来的に交差又は合流する可能性のある車両を指す。
【００２５】
交通シーン判定部１０３は、自車両情報と、周辺車両情報のうち対象車両の情報とに基づき、自車両と対象車両との間で発生する交通シーンを判定する。本実施形態において、交通シーン判定部１０３は、自車両と対象車両の位置関係と、自車両と対象車両の進行方向と、ウィンカーの状態とから、交通シーンを判定する。
【００２６】
具体的に、交通シーン判定部１０３は、自車両の進行方向と対象車両の進行方向とが交差（例えば直交）する位置関係にあると判定した場合に、出会い頭のシーンであると判定する。また、本実施形態において、交通シーン判定部１０３は、自車両と対象車両とが対向する位置関係にあると判定した場合に、右折のシーンであると判定する。この判定において、交通シーン判定部１０３は、方向指示スイッチ４０の右折側又は左折側のオン・オフの状態を示す信号と、周辺の道路形状情報とに基づき、より正確に、出会い頭のシーン及び右折のシーンを判定する。
【００２７】
例えば、Ｔ字路において、対象車両が走行車線と交差する優先車線に左折で合流する場合に、対象車両は左折側の方向指示スイッチ４０がオン状態になり、優先車線を走行する自車両側は方向指示スイッチ４０がいずれの方向側もオフ状態になる状況が発生し得る。  また、例えば、Ｔ字路において、対象車両が自車両の進路と交差する進路方向に右折をする場合に、対象車両は右折側の方向指示スイッチ４０がオン状態になり、自車両側は方向指示スイッチ４０がいずれの方向側もオフ状態になる状況が発生し得る。
【００２８】
つまり、道路形状とウィンカーの状態とから、より正確に、出会い頭のシーン及び右折のシーンを判定することができる。
優先関係判定部１０４は、自車両情報と、周辺車両情報のうち対象車両の情報とに基づき、交通シーン判定部１０３で判定した交通シーンにおける優先／非優先の関係を判定する。本実施形態において、優先関係判定部１０４は、自車両と対象車両の位置関係と、自車両と対象車両の進行方向と、自車両と対象車両の走行速度と、ウィンカ（方向指示スイッチ４０）の状態とから、優先／非優先の関係を判定する。
【００２９】
具体的に、優先関係判定部１０４は、出会い頭のシーン及び右折のシーンのいずれにおいても、自車両の速度と対象車両の速度とを比較する。そして、一方の速度が他方の速度よりも速く、かつ他方の速度が予め設定した速度閾値以下（停止状態を含む）の場合に、速度の速い側の車両を優先側と判定し、速度の遅い側（停止側を含む）の車両を非優先側と判定する。なお、速度閾値は、出会い頭のシーンと、右折のシーンとで異なる値としてもよい。
【００３０】
候補リスト作成部１０５は、交通シーン判定部１０３で判定した交通シーンと、優先関係判定部１０４で判定した優先／非優先の関係とに基づき、対象車両に対して送信するメッセージの候補リストを作成する。具体的に、候補リスト作成部１０５は、メモリ４２に格納されたメッセージセットの中から、判定した交通シーンと優先／非優先との関係に対応するメッセージの候補を読み出す。候補リスト作成部１０５は、読み出したメッセージの候補から候補リストを作成し、作成した候補リストを送信メッセージ選択部１０７に出力する。
【００３１】
本実施形態において、候補リストは、候補となるメッセージに対応するコード情報から構成される。
例えば、出会い頭のシーンで、かつ自車両が優先側であれば、「お先にどうぞ」、「出てくるな」などのメッセージ情報から候補リストが作成される。
なお、本実施形態において、候補リスト作成部１０５は、自車両が非優先側の場合は、候補リストを作成しないようになっている。
ドライバ情報入力部１０６は、自車両のドライバの行為に応じて発生する物理現象の情報であるドライバ情報を受け付け、受け付けたドライバ情報を、送信メッセージ選択部１０７に出力する。
【００３２】
ドライバ情報は、例えば、ドライバの発話行為によって発生する発話音声を、マイク３８を介して入力した音声情報（以下、発話音声情報と称す）が該当する。また、ドライバ情報は、例えば、ドライバの手を動かす行為によって発生する手振りを、ドライバカメラ３９を介して入力した撮影画像情報（以下、手振り情報と称す）が該当する。また、ドライバ情報は、例えば、ドライバの顔の表情筋を動かす行為によって発生する表情の変化などをドライバカメラ３９を介して入力した撮影画像情報（以下、表情情報と称す）が該当する。
【００３３】
送信メッセージ選択部１０７は、ドライバ情報入力部１０６から入力されたドライバ情報に基づき、メッセージ候補リストからドライバの意思に応じた内容のメッセージに対応するコード情報を選択する。送信メッセージ選択部１０７は、選択したメッセージに対応するコード情報をメッセージ情報送信部１０８に出力する。
【００３４】
具体的に、送信メッセージ選択部１０７は、ドライバ情報が、発話音声情報の場合、まず、発話音声情報を解析する。この音声解析処理は、ナビゲーションシステムで実用化されている音声解析エンジン等を利用することができる。送信メッセージ選択部１０７は、音声解析によって認識した発話内容から、ドライバの進路の譲歩に関する意思を推定する。例えば、ドライバが、「いいよ」、「どうぞ」、「早く」などと発話した場合は、譲歩の意思があると推定する。送信メッセージ選択部１０７は、譲歩の意思が有ると推定した場合に、メッセージ候補リストから、例えば、「お先にどうぞ」というメッセージに対応するコード情報を選択する。一方、ドライバが、「ダメ！」、「出てくるな」などと発話した場合は、非優先側の合流や右折を拒む意思があると推定する。送信メッセージ選択部１０７は、譲歩を拒む意思が有ると推定した場合に、メッセージ候補リストから、例えば、「出てくるな」というメッセージに対応するコード情報を選択する。
【００３５】
また、手振り情報については、送信メッセージ選択部１０７は、手振り情報の示す動作パターン（動画）を、予め設定した動作パターンとのマッチングによって、その内容を判定する。例えば、手のひらを上に向けて胸前から対象車両に向かって突き出すような手振りの場合や、手を右から左に向かって何度も大きく振るような手振りの場合は、合流や右折を促す手振りであると判定する。この場合は、ドライバに譲歩の意思があると推定する。一方、手のひらを対向車に向けて突き出すような手振りの場合は、ドライバに非優先側の合流や右折を拒む意思があると推定する。
【００３６】
また、表情情報については、送信メッセージ選択部１０７は、表情情報の示す表情の変化あるいは表情の静止画を、予め設定した表情パターンあるいは表情画像とマッチングして、その内容を判定する。この判定結果から、例えば、ドライバがにこやかな表情をしていると判定した場合は、ドライバに譲歩の意思があると推定する。一方、しかめっ面の表情であると判定した場合は、ドライバに非優先側の合流や右折を拒む意思があると推定する。
【００３７】
本実施形態において、送信メッセージ選択部１０７は、発話情報、手振り情報及び表情情報のうち、いずれか１以上を用いてドライバの意思を推定することが可能である。
メッセージ情報送信部１０８は、送信メッセージ選択部１０７から入力されたコード情報と対象車両の車両ＩＤとを、送信指令と共に、通信装置３６に出力する。
これにより、通信装置３６を介して、選択されたコード情報が、車両ＩＤで特定される対象車両に対して無線送信される。
【００３８】
自車両情報送信部１０９は、自車両の周辺に存在する周辺車両からの送信要求（車両ＩＤを含む）に応じて、自車両情報収集部１０１で収集した自車両情報と送信要求元の車両ＩＤとを、送信指令と共に、通信装置３６に出力する。
これにより、通信装置３６を介して、自車両情報が、周辺車両における車両ＩＤで特定される車両に対して無線送信される。
【００３９】
メッセージ情報受信部１１０は、通信装置３６を介して、周辺車両からコード情報を受信する。メッセージ情報受信部１１０は、受信したコード情報をメッセージ提示部１１１と、お礼メッセージ情報自動送信部１１２とにそれぞれ出力する。
メッセージ提示部１１１は、メッセージ情報受信部１１０から入力されたコード情報に対応するメッセージの音声情報（例えばｍｐ３形式の音声ファイル）をメモリ４２から読み出し、読み出した音声情報をオーディオ機器３７に出力する。
これにより、オーディオ機器３７において、メッセージの再生が行われ、スピーカから音声メッセージが出力される。
【００４０】
お礼メッセージ情報自動送信部１１２は、メッセージ情報受信部１１０から入力されたコード情報が、進路の譲歩に関するメッセージに対応するコード情報であるか否かを判定する。お礼メッセージ情報自動送信部１１２は、譲歩に関するメッセージに対応するコード情報であると判定すると、自車両情報に基づき、自車両が譲歩された進路の通行を完了したか否かを判定する。お礼メッセージ情報自動送信部１１２は、予め設定した時間内に自車両が譲歩された進路の通行を完了したと判定すると、お礼に関するメッセージに対応するコード情報と対象車両の車両ＩＤとを、送信指令と共に、通信装置３６に出力する。
これにより、通信装置３６を介して、お礼に関するメッセージに対応するコード情報が、車両ＩＤで特定される対象車両に対して無線送信される。
【００４１】
（通行支援処理）
次に、コントローラ１０で行われる通行支援処理の処理手順について説明する。
図３は、通行支援処理の処理手順の一例を示すフローチャートである。
電源がＯＮ（イグニッションＯＮ）され、コントローラ１０において専用のプログラムが実行されると、図３に示すように、まずステップＳ１００に移行する。
ステップＳ１００では、周辺車両情報収集部１００において、通信装置３６を介して、周辺車両情報の送信要求を周辺車両に対して送信し、周辺車両から周辺車両情報を収集する。そして、収集した周辺車両情報を、対象車両抽出部１０２に出力して、ステップＳ１０２に移行する。
なお、本実施形態において、周辺車両情報の収集は、予め設定された通信周期で繰り返し実行される。
【００４２】
ステップＳ１０２では、自車両情報収集部１０１において、各種センサから入力されるセンサ検出信号、各種装備品のスイッチから入力されるスイッチ信号に基づき、自車両情報を収集する。更に、メモリ４２から、自車両ＩＤを読み出す。そして、収集した自車両情報と読み出した自車両ＩＤとを、対象車両抽出部１０２と、自車両情報送信部１０９と、お礼メッセージ情報自動送信部１１２とにそれぞれ出力して、ステップＳ１０４に移行する。
なお、本実施形態において、自車両情報の収集は、予め設定された周期（例えば、周辺車両情報の収集と同じ周期）で繰り返し実行される。
【００４３】
ステップＳ１０４では、対象車両抽出部１０２において、周辺車両情報と、自車両情報とに基づき、周辺車両の中から自車両の通行に影響を与える可能性のある対象車両を抽出する処理を実行する。そして、対象車両抽出部１０２において、抽出処理の抽出結果と、該抽出処理に関連する自車両情報及び周辺車両情報とを、交通シーン判定部１０３と、優先関係判定部１０４とにそれぞれ出力して、ステップＳ１０６に移行する。
【００４４】
ステップＳ１０６では、交通シーン判定部１０３において、抽出結果に基づき対象車両が存在するか否かを判定し、存在すると判定した場合(Yes)は、ステップＳ１０８に移行し、そうでないと判定した場合(No)は、ステップＳ１０４に移行する。
ステップＳ１０８に移行した場合は、交通シーン判定部１０３において、自車両情報と、周辺車両情報のうち対象車両の情報とに基づき、自車両と対象車両との間で発生する交通シーンを判定する。その後、交通シーンの判定結果を、優先関係判定部１０４と、候補リスト作成部１０５とにそれぞれ出力して、ステップＳ１１０に移行する。
【００４５】
ステップＳ１１０では、優先関係判定部１０４において、自車両情報と、周辺車両情報のうち対象車両の情報と、交通シーンの判定結果とに基づき、自車両と対象車両との優先／非優先の関係を判定する。その後、優先／非優先の判定結果を、候補リスト作成部１０５に出力して、ステップＳ１１２に移行する。
ステップＳ１１２では、候補リスト作成部１０５において、優先／非優先の判定結果に基づき、自車両が優先側の車両か否かを判定する。そして、自車両が優先側の車両であると判定した場合(Yes)は、ステップＳ１１４に移行し、そうでないと判定した場合(No)は、ステップＳ１３０に移行する。
【００４６】
ステップＳ１１４に移行した場合は、候補リスト作成部１０５において、交通シーンの判定結果と、優先側の車両である判定結果とに基づき、メモリ４２に格納されたメッセージセットから、これらの判定結果に応じたメッセージに対応するコード情報を読み出す。そして、読み出したコード情報から候補リストを作成し、作成した候補リストを送信メッセージ選択部１０７に出力して、ステップＳ１１６に移行する。
【００４７】
ステップＳ１１６では、ドライバ情報入力部１０６において、ドライバ情報の入力があったか否かを判定する。そして、入力があったと判定した場合(Yes)は、入力されたドライバ情報を送信メッセージ選択部１０７に出力して、ステップＳ１１８に移行し、そうでないと判定した場合(No)は、ステップＳ１０４に移行する。
ステップＳ１１８に移行した場合は、送信メッセージ選択部１０７において、ドライバ情報に基づき、ドライバの進路の譲歩に関する意思を推定して、ステップＳ１２０に移行する。
【００４８】
ステップＳ１２０では、送信メッセージ選択部１０７において、ステップＳ１１８で判定したドライバの意思に応じた内容のメッセージに対応するコード情報を、候補リストから選択する。そして、選択したコード情報を、メッセージ情報送信部１０８に出力して、ステップＳ１２２に移行する。
ステップＳ１２２では、メッセージ情報送信部１０８において、選択したコード情報と、対象車両のＩＤとを、送信指令と共に、通信装置３６に出力して、ステップＳ１２４に移行する。これにより、通信装置３６は、対象車両のＩＤで特定される車両に対して、選択したコード情報を無線送信する。
【００４９】
ステップＳ１２４では、メッセージ情報受信部１１０において、送信したコード情報は、譲歩メッセージに対応するコード情報であるか否かを判定する。そして、譲歩メッセージに対応するコード情報であると判定した場合(Yes)は、ステップＳ１２６に移行し、そうでないと判定した場合(No)は、ステップＳ１０４に移行する。
【００５０】
ステップＳ１２６に移行した場合は、メッセージ情報受信部１１０において、通信装置３６を介して、お礼のメッセージに対応するコード情報を受信したか否かを判定する。そして、お礼のメッセージに対応するコード情報を受信したと判定した場合(Yes)は、受信したコード情報を、メッセージ提示部１１１に出力する。その後、ステップＳ１２８に移行する。一方、お礼のメッセージに対応するコード情報を、譲歩メッセージに対応するコード情報を受信したと判定してから、予め設定した時間が経過するまで受信しなかったと判定した場合(No)は、ステップＳ１０４に移行する。
【００５１】
ステップＳ１２８に移行した場合は、メッセージ提示部１１１において、ステップＳ１２６で受信したコード情報に対応するお礼のメッセージの音声情報を、メモリ４２から読み出す。そして、読み出した音声情報を、オーディオ機器３７に出力して、ステップＳ１０４に移行する。
一方、ステップＳ１１２において、自車両が非優先車両であると判定されステップＳ１３０に移行した場合は、メッセージ情報受信部１１０において、通信装置３６を介して、対象車両からの譲歩メッセージに対応するコード情報を受信したか否かを判定する。そして、受信したと判定した場合(Yes)は、受信したコード情報をメッセージ提示部１１１に出力して、ステップＳ１３２に移行する。一方、譲歩メッセージに対応するコード情報を受信しなかったと判定した場合(No)は、ステップＳ１０４に移行する。
【００５２】
ステップＳ１３２に移行した場合は、メッセージ提示部１１１において、ステップＳ１３０で受信したコード情報に対応する譲歩メッセージの音声情報を、メモリ４２から読み出す。そして、読み出した音声情報を、オーディオ機器３７に出力して、ステップＳ１３４に移行する。
ステップＳ１３４では、お礼メッセージ情報自動送信部１１２において、周期的に入力される自車両情報に基づき、自車両の譲歩進路への移動実施の挙動があったか否かを判定する。そして、移動実施の挙動があったと判定した場合(Yes)は、ステップＳ１３６に移行し、そうでないと判定した場合(No)は、ステップＳ１４２に移行する。
【００５３】
ステップＳ１３６に移行した場合は、お礼メッセージ情報自動送信部１１２において、移動を完了したと判定した時点のタイマ変数ＴＣの値が、予め設定した閾値以下か否かを判定する。そして、閾値以下であると判定した場合(Yes)は、ステップＳ１３８に移行し、そうでないと判定した場合(No)は、ステップＳ１０４に移行する。
ステップＳ１３８に移行した場合は、お礼メッセージ情報自動送信部１１２において、お礼メッセージに対応するコード情報と対象車両のＩＤとを、送信指令と共に通信装置３６に出力して、ステップＳ１４０に移行する。
【００５４】
ステップＳ１４０では、お礼メッセージ情報自動送信部１１２において、タイマ変数ＴＣをクリアして、ステップＳ１０４に移行する。
一方、ステップＳ１３４において、自車両の譲歩進路への移動実施の挙動が無いと判定されステップＳ１４２に移行した場合は、お礼メッセージ情報自動送信部１１２において、タイマ変数ＴＣをインクリメントして、ステップＳ１３４に移行する。
【００５５】
（動作）
次に、本実施形態の動作を説明する。
図４は、出会い頭のシーンの一例を示す図である。また、図５は、出会い頭のシーンにおいて、発話音声に応じた優先側のメッセージに対応するコード情報の送信態様の一例を示す図である。また、図６は、右折のシーンの一例を示す図である。
イグニッションスイッチがＯＮされ、電源がＯＮされると、コントローラ１０において専用のプログラムが実行される。これにより、初期化処理が実行され、プログラムで用いる各種変数等が初期化される。初期化処理後は、各種センサ、各種装備品、ナビゲーション装置３２、通信装置３６等が作動して、これらによって取得される各種情報がコントローラ１０に入力される。
【００５６】
コントローラ１０は、まず、周辺車両情報収集部１００において、メモリ４２から自車両ＩＤを読み出す。周辺車両情報収集部１００は、読み出した自車両ＩＤに基づき、周辺車両情報の送信要求を生成する。送信要求には、自車両ＩＤが含まれている。そして、通信装置３６を介して、自車両の周辺に存在する周辺車両の各車両に対して、周辺車両情報の送信要求を送信する（ブロードバンド送信）。これによって、自車両の周辺に他車両が存在する場合は、各他車両から周辺車両情報が、他車両の備える通信装置３６を介して自車両へと送信される。自車両は、この周辺車両情報を、通信装置３６を介して、周辺車両情報収集部１００において受信する。これにより、周辺車両情報が収集される（Ｓ１００）。ここでは、通信周期を１００[ｍｓ]とし、１００[ｍｓ]周期で繰り返し収集される。
また、周辺車両情報として、車両ＩＤと、メッセージセットバージョンと、位置情報（緯度、経度）と、車速と、進行方向と、方向指示スイッチ４０及びブレーキランプスイッチ４１のオン・オフ状態を示す情報とを収集したとする。
【００５７】
次に、自車両情報収集部１０１において、ナビゲーション装置３２から入力される自車位置の情報と、各種センサから入力されるセンサ検出信号と、各種装備品のスイッチから入力されるスイッチ信号とに基づき、自車両の動作状態（挙動）に関する情報と、装備品に関する情報とを収集する。加えて、メモリ４２に格納された自車両ＩＤを読み出す（読み出しは１回のみ）。これにより、自車両情報が収集される（Ｓ１０２）。自車両情報は、周辺車両情報に合わせて、１００[ｍｓ]周期で繰り返し収集される。
このようにして、周辺車両情報と自車両情報とが収集されると、対象車両抽出部１０２において、周辺車両の中から自車両の通行に影響のある対象車両を抽出する（Ｓ１０４）。
【００５８】
[出会い頭のシーン]
以下、図４に例示する出会い頭のシーンを例に挙げて説明する。
なお、図４において、車両Ａ〜Ｅの全てが、本実施形態に係る通行支援装置を搭載した車両と同様の構成を有するものとする。
まず、図４中Ｂが自車両である場合の動作を説明する。
対象車両抽出部１０２は、自車両Ｂの位置情報と、周辺車両である他車両Ａ、Ｃ、Ｄ、Ｅの位置情報とに基づき、まず、自車両Ｂと、他車両Ａ、Ｃ、Ｄ、Ｅとの位置関係を演算する。次に、対象車両抽出部１０２は、この位置関係と、自車両Ｂ、他車両Ａ、Ｃ、Ｄ、Ｅの各車両の進行方向とに基づき、自車両Ｂの進路と将来的に交差又は合流する進路を走行する他車両を対象車両として抽出する。図４の例では、自車両Ｂの合流又は右折ポイントに向かって走行し、かつ自車両Ｂの進行方向と交差する進行方向の他車両ＡとＤとが対象車両の候補として抽出される。次に、対象車両抽出部１０２は、自車両Ｂ、他車両Ａ、Ｄの方向指示スイッチ４０のオン・オフの情報に基づき対象車両を絞り込む。ここでは、自車両Ｂの左折側の方向指示スイッチがオン状態となっており、他車両Ａ、Ｄの方向指示スイッチ４０はいずれの方向もオフ状態になっていることとする。これにより、自車両Ｂは、他車両Ａの進路に合流する挙動を行っていると判定することができる。従って、自車両Ｂの通行に影響を与える可能性のある対象車両として、他車両Ａが抽出される。対象車両抽出部１０２は、この抽出結果を、交通シーン判定部１０３に出力する（Ｓ１０６）。
【００５９】
なお、図４の例において、自車両Ｂの左折指示が遅い場合など、いずれの車両も方向指示スイッチ４０がオフ状態であると判定した場合は、他車両Ａ、Ｅの双方が対象車両として抽出される。
交通シーン判定部１０３は、対象車両抽出部１０２の抽出結果と、各車両の上記挙動とから、自車両Ｂと他車両Ａとの間で発生する交通シーンが、出会い頭のシーンであると判定する。交通シーン判定部１０３は、この判定結果を、優先関係判定部１０４と、候補リスト作成部１０５とにそれぞれ出力する（Ｓ１０８）。
【００６０】
優先関係判定部１０４は、自車両Ｂの走行速度Ｖ１及び他車両Ａの走行速度Ｖ２と、予め設定された低速度閾値ＶＬ及び高速度閾値ＶＨとをそれぞれ比較する。ここでは、自車両Ｂの走行速度Ｖ１が低速度閾値ＶＬよりも遅い速度であり、他車両Ａの走行速度Ｖ２が高速度閾値ＶＨよりも速い速度であったとする。優先関係判定部１０４は、この比較結果から、自車両Ｂが低速度で移動または停止していると判定する。そして、優先関係判定部１０４は、この判定結果から、自車両Ｂが非優先側であり、他車両Ａが優先側であると判定し、この判定結果を候補リスト作成部１０５に出力する（Ｓ１１０）。
【００６１】
候補リスト作成部１０５は、自車両Ｂが非優先側であるとの判定結果に基づき（Ｓ１１２のNo）、該判定結果をメッセージ情報受信部１１０に出力する。
メッセージ情報受信部１１０は、自車両Ｂが非優先側であるとの判定結果から、優先側の車両である車両Ａから、進路の譲歩に関するメッセージに対応するコード情報を、通信装置３６を介して受信したか否かを判定する（Ｓ１３０）。
【００６２】
ここでは、「お先にどうぞ」といった譲歩メッセージに対応するコード情報を受信したとする（Ｓ１３０のYes）。メッセージ情報受信部１１０は、受信したコード情報を、メッセージ提示部１１１に出力する。例えば、「０１」というコード情報が、「お先にどうぞ」というメッセージに対応するコード情報であるとする。また、メッセージ情報受信部１１０は、譲歩メッセージに対応するコード情報を受信したことを、お礼メッセージ情報自動送信部１１２に通知する。
【００６３】
メッセージ提示部１１１は、コード情報が入力されると、メモリ４２に格納されたメッセージセットから、コード情報「０１」に対応する「お先にどうぞ」の音声情報を読み出す。そして、メッセージ提示部１１１は、読み出した音声情報を、オーディオ機器３７に出力する（Ｓ１３２）。
これにより、オーディオ機器３７は、アンプにおいて、音声情報から音響信号を生成し、生成した音響信号をスピーカに出力する。スピーカからは、「お先にどうぞ」という音声メッセージが出力される。
【００６４】
一方、お礼メッセージ情報自動送信部１１２は、自車両情報収集部１０１から周期的に入力される自車両情報に基づき、自車両Ｂの譲歩進路への移動実施の挙動があったか否かを判定する（Ｓ１３４）。図４の例では、自車両Ｂは、他車両Ａの進路に左折で合流することになるので、位置情報や進行方向の変化などから、そのような移動が実施されたか否かを判定する。この判定において、移動が実施されていないと判定される（Ｓ１３４のNo）毎に、タイマ変数ＴＣの値が予め設定された値だけインクリメントされる（Ｓ１４２）。やがて、自車両Ｂの譲歩進路への移動が実施されると（Ｓ１３４のYes）、お礼メッセージ情報自動送信部１１２は、タイマ変数ＴＣの値が、予め設定されたタイマ閾値以下か否かを判定する（Ｓ１３６）。この判定により、タイマ閾値以下であると判定されると（Ｓ１３６のYes）、お礼メッセージ情報自動送信部１１２は、お礼メッセージに対応するコード情報を、メモリ４２から読み出す。そして、読み出したコード情報を、通信装置３６を介して、他車両Ａに送信する（Ｓ１３８）。つまり、ドライバ間の意思伝達により円滑に合流が成功したと判断して、譲歩をしてくれた優先側車両Ａに対して、お礼に関するメッセージ（例えば、「譲ってくれてありがとう」など）に対応するコード情報（例えば「０３」）を送信する。
【００６５】
お礼メッセージ情報自動送信部１１２は、お礼メッセージに対応するコード情報を送信後に、タイマ変数ＴＣの値をクリア（例えば初期値０にクリア）する。
また、お礼メッセージ情報自動送信部１１２は、自車両Ｂの譲歩進路への移動実施後におけるタイマ変数ＴＣの値が、タイマ閾値より大きいと判定されると（Ｓ１３６のNo）、お礼メッセージに対応するコード情報を送信しないようになっている。つまり、意思伝達がうまくいかずに、円滑な合流ができなかったと判断する。
なお、自車両情報送信部１０９は、他車両Ａ、Ｃ、Ｄ、Ｅのいずれかから、周辺車両情報（自車両情報）の送信要求を受信したと判定すると、自車両情報収集部１０１から入力された自車両情報を、通信装置３６を介して、送信要求元の他車両に対して送信する。
【００６６】
次に、図４中Ａが自車両である場合の動作を説明する。
対象車両抽出部１０２は、自車両Ａの位置情報と、周辺車両である他車両Ｂ、Ｃ、Ｄ、Ｅの位置情報とに基づき、まず、自車両Ａと、他車両Ｂ、Ｃ、Ｄ、Ｅとの位置関係を演算する。次に、対象車両抽出部１０２は、この位置関係と、自車両Ａ、他車両Ｂ、Ｃ、Ｄ、Ｅの各車両の進行方向とに基づき、自車両Ａの進路と将来的に交差又は合流する進路を走行する他車両を対象車両として抽出する。図４の例では、自車両Ａの進行方向と交差する進行方向の他車両Ｂが対象車両として抽出される。対象車両抽出部１０２は、この抽出結果を、交通シーン判定部１０３に出力する（Ｓ１０６）。
【００６７】
交通シーン判定部１０３は、対象車両抽出部１０２の抽出結果と、各車両の挙動とから、自車両Ａと他車両Ｂとの間で発生する交通シーンを判定する。交通シーン判定部１０３は、自車両Ａ及び他車両Ｂの方向指示スイッチ４０のオン・オフの情報にも基づき車両の挙動を検出する。ここでは、自車両Ａの方向指示スイッチ４０はいずれの方向もオフ状態となっており、他車両Ｂの左折側の方向指示スイッチがオン状態となっていることとする。これにより、自車両Ａと他車両Ｂとは交差する進路を走行しており、かつ他車両Ｂは自車両Ａの進路に左折で合流する挙動を行おうとしていると判定することができる。従って、交通シーン判定部１０３は、自車両Ａと他車両Ｂとの間で発生する交通シーンを、出会い頭のシーンであると判定する。交通シーン判定部１０３は、この判定結果を、優先関係判定部１０４と、候補リスト作成部１０５とにそれぞれ出力する（Ｓ１０８）。
【００６８】
優先関係判定部１０４は、自車両Ａの走行速度Ｖ１及び他車両Ｂの走行速度Ｖ２と、予め設定された低速度閾値ＶＬ及び高速度閾値ＶＨとをそれぞれ比較する。ここでは、自車両Ａの走行速度Ｖ１が高速度閾値ＶＨよりも速い速度であり、他車両Ｂの走行速度Ｖ２が低速度閾値ＶＬよりも遅い速度であったとする。優先関係判定部１０４は、この比較結果から、自車両Ａが他車両Ｂと比較して速い速度で移動しており、かつ他車両Ｂが低速度で移動又は停止していると判定する。なお、停止の判定については、ブレーキランプスイッチ４１のオン・オフの状態からも判定することが可能である。そして、優先関係判定部１０４は、この判定結果から、自車両Ａが優先側であり、他車両Ｂが非優先側であると判定し、この判定結果を候補リスト作成部１０５に出力する（Ｓ１１０）。
【００６９】
候補リスト作成部１０５は、入力された判定結果に基づき自車両Ａが優先側の車両であると判定すると（Ｓ１１２のYes）、メモリ４２に格納されたメッセージセットから、出会い頭のシーンにおいて優先側に対応するメッセージに対応するコード情報の候補を読み出す。例えば、「お先にどうぞ」などといった譲歩メッセージと、「出てくるな」などといった拒否メッセージとにそれぞれ対応するコード情報を候補として読み出す。候補リスト作成部１０５は、読み出したコード情報から候補リストを作成し、作成した候補リストを送信メッセージ選択部１０７に出力する（Ｓ１１４）。
【００７０】
ドライバ情報入力部１０６は、ドライバ情報の入力があったか否かを判定する（Ｓ１１６）。ここでは、図５に示すように、ドライバの発話行為に応じた発話情報が、ドライバ情報として入力される場合を例に挙げて説明する。
例えば、図５の実線の吹き出しに示すように、ドライバがマイク３８に向かって「いいよ」と発話したとする。これにより、マイク３８を介して、ドライバの「いいよ」という発話音声の情報がドライバ情報入力部１０６に入力される（Ｓ１１６のYes）。本実施形態では、ドライバ情報入力部１０６は、入力されたアナログの音声情報をデジタルの音声情報に変換して、送信メッセージ選択部１０７に出力する。
【００７１】
送信メッセージ選択部１０７は、ドライバの「いいよ」という発話音声の音声情報が入力されると、該音声情報を公知の音声解析エンジンを用いて音声解析する。送信メッセージ選択部１０７は、音声解析結果から、ドライバに譲歩の意思があると判定する（Ｓ１１８）。そして、送信メッセージ選択部１０７は、ドライバの譲歩の意思に応じて、候補リストから、譲歩メッセージである「お先にどうぞ」に対応するコード情報を選択する（Ｓ１２０）。送信メッセージ選択部１０７は、選択したコード情報を、メッセージ情報送信部１０８に出力する。
【００７２】
メッセージ情報送信部１０８は、図５に示すように、「お先にどうぞ」のコード情報に基づき、そのコード情報「０１」を、通信装置３６を介して、他車両Ｂに送信する（Ｓ１２２）。また、メッセージ情報送信部１０８は、送信したコード情報を、メッセージ情報受信部１１０に出力する。
メッセージ情報受信部１１０は、コード情報「０１」の入力に応じて、送信したコード情報が譲歩メッセージに対応するコード情報であると判定する（Ｓ１２４のYes）。これにより、メッセージ情報受信部１１０は、引き続き、他車両Ｂからのお礼メッセージに対応するコード情報を受信したか否かを判定する（Ｓ１２６）。ここで、他車両Ｂからのお礼メッセージに対応するコード情報（例えば「０３」）を受信したと判定すると（Ｓ１２６のYes）、受信したコード情報「０３」を、メッセージ提示部１１１に出力する。
【００７３】
メッセージ提示部１１１は、コード情報「０３」が入力されると、メモリ４２に格納されたメッセージセットからコード情報「０３」に対応するお礼メッセージである「譲ってくれてありがとう」の音声情報を読み出す。メッセージ提示部１１１は、読み出した音声情報を、オーディオ機器３７に出力する（Ｓ１３２）。
これにより、オーディオ機器３７は、アンプにおいて、音声情報から音響信号を生成し、生成した音響信号をスピーカに出力する。スピーカからは、「譲ってくれてありがとう」という音声メッセージが出力される。
【００７４】
一方、例えば、図５の点線の吹き出しに示すように、ドライバがマイク３８に向かって「ダメ！」と発話したとする。これにより、マイク３８を介して、ドライバの「ダメ！」という発話音声の音声情報がドライバ情報入力部１０６に入力される（Ｓ１１６のYes）。ドライバ情報入力部１０６は、入力された「ダメ！」のアナログの音声情報をデジタルの音声情報に変換して、送信メッセージ選択部１０７に出力する。
【００７５】
送信メッセージ選択部１０７は、ドライバの「ダメ！」という発話音声の音声情報が入力されると、該音声情報を公知の音声解析エンジンを用いて音声解析する。送信メッセージ選択部１０７は、音声解析結果から、ドライバに右折や合流等の進路の譲歩を拒否する意思があると判定する（Ｓ１１８）。なお、「ダメ！」という発話内容の他に、例えば、「出てくるな」、「待て」などの発話内容の場合もドライバに譲渡拒否の意思があると推定する。そして、送信メッセージ選択部１０７は、ドライバの譲歩拒否の意思に応じて、候補リストから、譲歩拒否メッセージである「出てくるな」に対応するコード情報を選択する（Ｓ１２０）。送信メッセージ選択部１０７は、選択したコード情報を、メッセージ情報送信部１０８に出力する。
【００７６】
メッセージ情報送信部１０８は、「出てくるな」のコード情報に基づき、図５に示すように、そのコード情報「０２」を、通信装置３６を介して、他車両Ｂに送信する（Ｓ１２２）。また、メッセージ情報送信部１０８は、送信したコード情報を、メッセージ情報受信部１１０に出力する。
メッセージ情報受信部１１０は、コード情報「０２」の入力に応じて、送信したコード情報が譲歩拒否メッセージに対応するコード情報であると判定し（Ｓ１２４のNo）、周期的に更新される自車両情報及び周辺車両情報に基づく対象車両の抽出処理に移行する。
なお、自車両情報送信部１０９は、他車両Ｂ、Ｃ、Ｄ、Ｅのいずれかから、周辺車両情報（自車両情報）の送信要求を受信したと判定すると、自車両情報収集部１０１から入力された自車両情報を、通信装置３６を介して、送信要求元の他車両に対して送信する。
【００７７】
[右折のシーン]
次に、図６に例示する右折のシーンを例に挙げて説明する。
なお、図６において、車両Ａ〜Ｅの全てが、本実施形態に係る通行支援装置を搭載した車両と同様の構成を有するものとする。
まず、図６中Ａが自車両である場合の動作を説明する。
対象車両抽出部１０２は、自車両Ａの位置情報と、周辺車両である他車両Ｂ、Ｃ、Ｄ、Ｅの位置情報とに基づき、まず、自車両Ａと、他車両Ｂ、Ｃ、Ｄ、Ｅとの位置関係を演算する。次に、対象車両抽出部１０２は、この位置関係と、自車両Ａ、他車両Ｂ、Ｃ、Ｄ、Ｅの各車両の進行方向とに基づき、自車両Ａの進路と将来的に交差又は合流する進路を走行する他車両を対象車両として抽出する。対象車両抽出部１０２は、図６の例では、他車両Ｃ、Ｄは、自車両Ａとの距離が、予め設定された距離よりも離れていると判定して対象から除外する。一方、他車両Ｂ、Ｅは、自車両Ａとの距離が予め設定された距離以内であると判定される。更に、他車両Ｂ、Ｅは、自車両Ａの進行方向と対向する進行方向であると判定される。これらの判定結果から、他車両Ｂ、Ｅを対象車両の候補として抽出する。
【００７８】
次に、対象車両抽出部１０２は、自車両Ａ、他車両Ｂ、Ｅの方向指示スイッチ４０のオン・オフの情報に基づき対象車両を絞り込む。ここでは、自車両Ａ及び他車両Ｅの方向指示スイッチ４０はいずれの方向もオフ状態になっており、他車両Ｂの方向指示スイッチ４０は右折側のスイッチがオン状態となっていることとする。これにより、他車両Ｂは、自車両Ａの進路に交差する挙動を行おうとしていると判定することができる。従って、自車両Ａの通行に影響を与える可能性のある対象車両として、他車両Ｂが抽出される。対象車両抽出部１０２は、この抽出結果を、交通シーン判定部１０３に出力する（Ｓ１０６）。
【００７９】
なお、ナビゲーション装置３２等から道路形状情報を取得する場合は、道路形状情報から、Ｔ字路であると判定することができる。そのため、Ｔ字路に対する自車両Ａと、他車両Ｂ、Ｄ、Ｅとの位置関係を演算で求めることができる。このような場合は、方向指示スイッチ４０の状態を判定せずとも（あるいは正確に判定できなくとも）、位置関係から、他車両Ｄ、Ｅを対象車両から除外することが可能である。但し、他車両Ｅに関しては、自車両との相対速度によって、対象車両となる可能性がある。
【００８０】
交通シーン判定部１０３は、対象車両抽出部１０２の抽出結果と、各車両の挙動とから、自車両Ａと他車両Ｂとの間で発生する交通シーンを判定する。ここでは、自車両Ａの方向指示スイッチ４０はいずれの方向もオフ状態となっており、他車両Ｂの右折側の方向指示スイッチがオン状態となっている。これにより、交通シーン判定部１０３は、自車両Ａと他車両Ｂとの間で発生する交通シーンを、右折のシーンであると判定する。交通シーン判定部１０３は、この判定結果を、優先関係判定部１０４と、候補リスト作成部１０５とにそれぞれ出力する（Ｓ１０８）。
【００８１】
優先関係判定部１０４は、自車両Ｂの方向指示スイッチ４０の右折のオン情報と、他車両Ａの方向指示スイッチ４０のオフ情報とを取得できた場合は、この情報に基づき、自車両Ａが優先側であり、他車両Ｂが非優先側であると判定する。
ここで、もし、自車両Ａ、他車両Ｂの方向指示スイッチ４０のオン・オフの情報を取得しない場合又は方向指示のタイミングが遅いなどの理由から他車両Ｂのオンの情報を取得できなかったとする。この場合、方向指示スイッチ４０の状態からは、自車両Ａと他車両Ｂとの優先／非優先の関係は判定できないことになる。
【００８２】
従って、自車両Ａ、他車両Ｂの方向指示スイッチ４０のオン・オフの情報を取得しない場合又は取得できなかった場合、優先関係判定部１０４は、自車両Ａの走行速度Ｖ１及び他車両Ｂの走行速度Ｖ２と、予め設定された低速度閾値ＶＬ及び高速度閾値ＶＨとをそれぞれ比較する。ここでは、自車両Ａの走行速度Ｖ１が高速度閾値ＶＨよりも速い速度であり、他車両Ｂの走行速度Ｖ２が低速度閾値ＶＬよりも遅い速度であったとする。優先関係判定部１０４は、この比較結果から、自車両Ａが他車両Ｂと比較して速い速度で移動しており、かつ他車両Ｂが低速度で移動又は停止していると判定する。そして、優先関係判定部１０４は、この判定結果から、自車両Ａが優先側であり、他車両Ｂが非優先側であると判定する。
【００８３】
優先関係判定部１０４は、上記いずれかの方法で判定した判定結果を候補リスト作成部１０５に出力する（Ｓ１１０）。
候補リスト作成部１０５は、入力された判定結果に基づき自車両Ａが優先側の車両であると判定すると（Ｓ１１２のYes）、メモリ４２に格納されたメッセージセットから、右折のシーンにおいて優先側に対応するメッセージの候補に対応するコード情報を読み出す。例えば、「お先にどうぞ」などといった譲歩メッセージと、「出てくるな」などといった拒否メッセージとに対応するコード情報を候補として読み出す。候補リスト作成部１０５は、読み出したコード情報から候補リストを作成し、作成した候補リストを送信メッセージ選択部１０７に出力する（Ｓ１１４）。
【００８４】
ドライバ情報入力部１０６は、ドライバ情報の入力があったか否かを判定する（Ｓ１１６）。ここでは、ドライバの発話情報に加えて、ドライバの手を振る行為に応じた手振りの画像情報が、ドライバ情報として入力される場合を例に挙げて説明する。
例えば、ドライバが、「いいよ」と発話しながら、右から左へと大きく右手を振る行為を行ったとする。このドライバの手振りは、ドライバカメラ３９によって撮影され、その撮影画像情報がドライバ情報入力部１０６に入力される（Ｓ１１６のYes）。ドライバ情報入力部１０６は、入力されたドライバの手振りの撮影画像情報に対して、例えば、グレースケール化処理、エッジ抽出処理等を施して手振りの動作内容を判定しやすい情報に変換する。そして、ドライバ情報入力部１０６は、これらの処理を施した後の手振りの撮影画像情報を、「いいよ」の発話情報と共に送信メッセージ選択部１０７に出力する。
【００８５】
送信メッセージ選択部１０７は、ドライバの「いいよ」という音声情報が入力されると、該音声情報を公知の音声解析エンジンを用いて音声解析する。また、送信メッセージ選択部１０７は、手振りの撮影画像情報が入力されると、この撮影画像情報を解析する。送信メッセージ選択部１０７は、この解析によって、ドライバが右手を右から左へと大きく振っていることを判定したとする。送信メッセージ選択部１０７は、「いいよ」と発話しながら、ドライバが右手を右から左へと大きく振っていることから、ドライバに譲歩の意思があると判定する（Ｓ１１８）。そして、送信メッセージ選択部１０７は、ドライバの譲歩の意思に応じて、候補リストから、譲歩メッセージである「お先にどうぞ」に対応するコード情報を選択する（Ｓ１２０）。送信メッセージ選択部１０７は、選択したコード情報を、メッセージ情報送信部１０８に出力する。
【００８６】
なお、発話情報、手振り情報に加えて、表情情報にも基づいて、ドライバの意思を推定するようにしてもよい。
メッセージ情報送信部１０８は、図５に示すように、「お先にどうぞ」のコード情報「０１」を、通信装置３６を介して、他車両Ｂに送信する（Ｓ１２２）。また、メッセージ情報送信部１０８は、送信したコード情報を、メッセージ情報受信部１１０に出力する。
【００８７】
メッセージ情報受信部１１０は、コード情報「０１」の入力に応じて、送信したコード情報が譲歩メッセージに対応するコード情報であると判定する（Ｓ１２４のYes）。これにより、メッセージ情報受信部１１０は、引き続き、他車両Ｂからのお礼メッセージに対応するコード情報を受信したか否かを判定する（Ｓ１２６）。ここで、他車両Ｂからのお礼メッセージに対応するコード情報（例えば「０３」）を受信したと判定すると（Ｓ１２６のYes）、受信したコード情報「０３」を、メッセージ提示部１１１に出力する。
【００８８】
メッセージ提示部１１１は、コード情報「０３」が入力されると、メモリ４２に格納されたメッセージセットからコード情報「０３」に対応するお礼メッセージである「譲ってくれてありがとう」の音声情報を読み出す。メッセージ提示部１１１は、読み出した音声情報を、オーディオ機器３７に出力する（Ｓ１３２）。
これにより、オーディオ機器３７は、アンプにおいて、音声情報から音響信号を生成し、生成した音響信号をスピーカに出力する。スピーカからは、「譲ってくれてありがとう」という音声メッセージが出力される。
【００８９】
一方、例えば、ドライバが、「ダメ！」と発話しながら、右手を胸前から前方へと手のひらが他車両Ｂ（前方）に向くように突き出す手振りを行ったとする。このドライバの手振りは、ドライバカメラ３９によって撮影され、その撮影画像情報（手振り情報）がドライバ情報入力部１０６に入力される（Ｓ１１６のYes）。ドライバ情報入力部１０６は、入力されたドライバの手振り情報に対して、例えば、グレースケール化処理、エッジ抽出処理等を施して手振りの動作内容を判定しやすい情報に変換する。そして、ドライバ情報入力部１０６は、これらの処理を施した後の手振り情報を、「ダメ！」の発話情報と共に送信メッセージ選択部１０７に出力する。
【００９０】
送信メッセージ選択部１０７は、ドライバの「ダメ！」という発話内容の音声情報が入力されると、該音声情報を公知の音声解析エンジンを用いて音声解析する。また、送信メッセージ選択部１０７は、手振りの情報が入力されると、該手振り情報を解析する。送信メッセージ選択部１０７は、この解析によって、ドライバの胸前から前方へと手のひらが他車両Ｂに向くように突き出している手振りであることを判定したとする。送信メッセージ選択部１０７は、「ダメ！」と発話しながらドライバが他車両Ｂに向かって手のひらを向けた状態で手を突き出していることから、ドライバに右折進路の譲歩を拒否する意思があると判定する（Ｓ１１８）。そして、送信メッセージ選択部１０７は、ドライバの譲歩拒否の意思に応じて、候補リストから、譲歩拒否メッセージである「出てくるな」に対応するコード情報を選択する（Ｓ１２０）。送信メッセージ選択部１０７は、選択したコード情報を、メッセージ情報送信部１０８に出力する。
【００９１】
なお、発話情報、手振り情報に加えて、表情情報にも基づいて、ドライバの意思を推定するようにしてもよい。
メッセージ情報送信部１０８は、「出てくるな」のコード情報「０２」を、通信装置３６を介して、他車両Ｂに送信する（Ｓ１２２）。また、メッセージ情報送信部１０８は、送信したコード情報を、メッセージ情報受信部１１０に出力する。
メッセージ情報受信部１１０は、コード情報「０２」の入力に応じて、送信したコード情報が譲歩拒否メッセージに対応するコード情報であると判定し（Ｓ１２４のNo）、周期的に更新される自車両情報及び周辺車両情報に基づく対象車両の抽出処理に移行する。
【００９２】
次に、図６中Ｂが自車両である場合の動作を説明する。
対象車両抽出部１０２は、自車両Ｂの位置情報と、周辺車両である他車両Ａ、Ｃ、Ｄ、Ｅの位置情報とに基づき、まず、自車両Ｂと、他車両Ａ、Ｃ、Ｄ、Ｅとの位置関係を演算する。次に、対象車両抽出部１０２は、この位置関係と、自車両Ｂ、他車両Ａ、Ｃ、Ｄ、Ｅの各車両の進行方向とに基づき、自車両Ｂの進路と将来的に交差又は合流する進路を走行する他車両を対象車両として抽出する。図６の例では、対象車両抽出部１０２は、他車両Ｃと、自車両Ｂとの距離が予め設定された距離よりも遠いと判定して対象から除外する。一方、対象車両抽出部１０２は、他車両Ｄ、Ｅが、自車両Ｂと進行方向が同じであると判定して対象から除外する。従って、対象車両抽出部１０２は、自車両Ｂの進行方向と対向する進行方向であると判定される他車両Ａを対象車両として抽出する。対象車両抽出部１０２は、この抽出結果を、交通シーン判定部１０３に出力する（Ｓ１０６）。
【００９３】
交通シーン判定部１０３は、対象車両抽出部１０２の抽出結果と、各車両の挙動とから、自車両Ｂと他車両Ａとの間で発生する交通シーンを判定する（Ｓ１０８）。交通シーン判定部１０３は、上記位置関係や挙動に加えて、自車両Ｂ、他車両Ａの方向指示スイッチ４０のオン・オフの情報に基づき交通シーンを判定する。ここでは、自車両Ｂの方向指示スイッチ４０の右折側のスイッチがオン状態となっており、他車両Ａの方向指示スイッチ４０はいずれの方向もオフ状態になっていることとする。これにより、交通シーン判定部１０３は、自車両Ｂと他車両Ａとの間で発生する交通シーンを、右折のシーンであると判定する。交通シーン判定部１０３は、この判定結果を、優先関係判定部１０４と、候補リスト作成部１０５とにそれぞれ出力する。
【００９４】
優先関係判定部１０４は、自車両Ｂの方向指示スイッチ４０の右折のオン情報と、他車両Ａの方向指示スイッチ４０のオフ情報とを取得できた場合は、この情報に基づき、自車両Ｂが非優先側であり、他車両Ａが優先側であると判定する。
ここで、自車両Ｂ、他車両Ａの方向指示スイッチ４０のオン・オフの情報を取得しない場合又は方向指示のタイミングが遅いなどの理由から自車両Ｂのオンの情報を取得できなかったとする。この場合、方向指示スイッチ４０の状態からは、自車両Ｂと他車両Ａとの優先／非優先の関係は判定できないことになる。
【００９５】
従って、自車両Ｂ、他車両Ａの方向指示スイッチ４０のオン・オフの情報を取得しない場合又は取得できなかった場合、優先関係判定部１０４は、自車両Ｂの走行速度Ｖ１及び他車両Ａの走行速度Ｖ２と、予め設定された低速度閾値ＶＬ及び高速度閾値ＶＨとをそれぞれ比較する。ここでは、自車両Ｂの走行速度Ｖ１が低速度閾値ＶＬよりも遅い速度であり、他車両Ａの走行速度Ｖ２が高速度閾値ＶＨよりも速い速度であったとする。優先関係判定部１０４は、この比較結果から、自車両Ｂが低速度で移動をしている、又は停止していると判定する。そして、優先関係判定部１０４は、この判定結果から、自車両Ｂが非優先側であり、他車両Ａが優先側であると判定する。
【００９６】
優先関係判定部１０４は、上記いずれかの方法で判定された判定結果を候補リスト作成部１０５に出力する（Ｓ１１０）。
候補リスト作成部１０５は、自車両Ｂが非優先側であるとの判定結果に基づき（Ｓ１１２のNo）、該判定結果をメッセージ情報受信部１１０に出力する。
メッセージ情報受信部１１０は、自車両Ｂが非優先側であるとの判定結果から、優先側の車両である車両Ａから、進路の譲歩に関するメッセージに対応するコード情報を、通信装置３６を介して受信したか否かを判定する（１３０）。
【００９７】
ここでは、「お先にどうぞ」といった譲歩メッセージに対応するコード情報「０１」を受信したとする（Ｓ１３０のYes）。メッセージ情報受信部１１０は、受信したコード情報「０１」を、メッセージ提示部１１１に出力する。また、メッセージ情報受信部１１０は、コード情報「０１」を受信したことを、お礼メッセージ情報自動送信部１１２に通知する。
【００９８】
メッセージ提示部１１１は、コード情報「０１」が入力されると、メモリ４２に格納されたメッセージセットから、コード情報「０１」に対応する「お先にどうぞ」の音声情報を読み出す。そして、メッセージ提示部１１１は、読み出した音声情報を、オーディオ機器３７に出力する（Ｓ１３２）。
これにより、オーディオ機器３７は、アンプにおいて、音声情報から音響信号を生成し、生成した音響信号をスピーカに出力する。スピーカからは、「お先にどうぞ」という音声メッセージが出力される。
【００９９】
一方、お礼メッセージ情報自動送信部１１２は、周期的に入力される自車両情報に基づき、自車両Ｂの譲歩進路への移動実施の挙動があったか否かを判定する（Ｓ１３４）。図６の例では、自車両Ｂは、他車両Ａの進路を右折で横切ることになるので、位置情報や進行方向の変化などから、そのような移動が実施されたか否かを判定する。この判定において、移動が実施されていないと判定される（Ｓ１３４のNo）毎に、タイマ変数ＴＣの値が予め設定された値だけインクリメントされる（Ｓ１４２）。やがて、自車両Ｂの譲歩進路への移動が実施されると（Ｓ１３４のYes）、お礼メッセージ情報自動送信部１１２は、タイマ変数ＴＣの値が、予め設定されたタイマ閾値以下か否かを判定する（Ｓ１３６）。この判定により、タイマ閾値以下であると判定されると（Ｓ１３６のYes）、お礼メッセージ情報自動送信部１１２は、お礼メッセージに対応するコード情報を、通信装置３６を介して、他車両Ａに送信する（Ｓ１３８）。つまり、ドライバ間の意思伝達により円滑に右折が成功したと判断する。そして、譲歩をしてくれた優先側車両Ａに対して、お礼に関するメッセージ（例えば、「譲ってくれてありがとう」など）に対応するコード情報（「０３」）を送信する。
【０１００】
お礼メッセージ情報自動送信部１１２は、お礼メッセージに対応するコード情報を送信後に、タイマ変数ＴＣの値をクリア（例えば初期値０にクリア）する。
また、お礼メッセージ情報自動送信部１１２は、自車両Ｂの譲歩進路への移動実施後におけるタイマ変数ＴＣの値が、タイマ閾値以下であると判定されると（Ｓ１３６のNo）、お礼メッセージに対応するコード情報を送信しないようになっている。つまり、意思伝達がうまくいかずに、円滑な右折ができなかったと判断する。
【０１０１】
ここで、上記説明において、周辺車両情報収集部１００は、周辺車両情報収集手段を構成する。自車両情報収集部１０１は、自車両情報収集手段を構成する。対象車両抽出部１０２は、対象車両抽出手段を構成する。交通シーン判定部１０３は、交通シーン判定手段を構成する。優先関係判定部１０４は、優先関係判定手段を構成する。候補リスト作成部１０５は、候補リスト作成手段を構成する。ドライバ情報入力部１０６は、ドライバ情報入力手段を構成する。送信メッセージ選択部１０７は、送信メッセージ選択手段を構成する。メッセージ情報送信部１０８は、メッセージ情報送信手段を構成する。自車両情報送信部１０９は、自車両情報送信手段を構成する。メッセージ情報受信部１１０は、メッセージ情報受信手段を構成する。メッセージ提示部１１１は、メッセージ提示手段を構成する。お礼メッセージ情報自動送信部１１２は、お礼メッセージ情報自動送信手段を構成する。メッセージセットは、各交通シーンの内容に対応した複数種類のメッセージ情報を構成する。
【０１０２】
（本実施形態の効果）
本実施形態は、次のような効果を奏する。
（１）周辺車両情報収集部１００が、自車両の周辺に存在する周辺車両と通信を行って周辺車両の識別情報、位置情報及び車両運動状態に関する情報を含む周辺車両情報を収集する。自車両情報収集部１０１が、自車両の位置情報及び車両運動状態に関する情報を含む自車両情報を収集する。対象車両抽出部１０２が、周辺車両情報収集部１００で収集した周辺車両情報と、自車両情報収集部１０１で収集した自車両情報とに基づき、周辺車両の中から自車両の通行に影響のある対象車両を抽出する。交通シーン判定部１０３が、周辺車両情報収集部１００で収集した周辺車両情報のうち対象車両の情報と、自車両情報収集部１０１で収集した自車両情報とに基づき、自車両と対象車両との間で発生する交通シーンを判定する。メモリ４２が、各交通シーンの内容に対応する複数種類のメッセージ情報を記憶している。ドライバ情報入力部１０６が、ドライバの発話音声の情報を入力する。送信メッセージ選択部１０７が、交通シーン判定部１０３で判定した交通シーンと、ドライバ情報入力部１０６で入力した発話音声の情報とに基づき、メモリ４２に記憶された複数種類のメッセージ情報から、前記判定した交通シーンの内容に対応しかつ発話内容から推定されるドライバの意思に応じた内容のメッセージ情報を選択する。メッセージ情報送信部１０８が、対象車両の識別情報に基づき、送信メッセージ選択部１０７で選択したメッセージ情報を対象車両に送信する。自車両情報送信部１０９が、周辺車両からの送信要求に応じて、自車両の識別情報と自車両情報収集部１０１で収集した自車両情報とを送信要求元の周辺車両に送信する。メッセージ情報受信部１１０が、周辺車両から送信されたメッセージ情報を受信する。メッセージ提示部１１１が、メッセージ情報受信部１１０で受信したメッセージ情報に基づき周辺車両からのメッセージをドライバに提示する。
【０１０３】
周辺車両情報と自車両情報とに基づき、自車両の通行に影響のある対象車両を抽出すると共に、自車両と対象車両との間で発生する交通シーンを判定する。更に、ドライバの発話内容の情報を入力し、判定した交通シーンに対応しかつ発話内容から推定されるドライバの意思に応じた内容のメッセージを選択する。このようにして選択したメッセージ情報を対象車両に送信するようにした。
これによって、ドライバは、メッセージを手動で選択する操作を行うことなく、交通シーンに対応しかつ自分の意思に応じたメッセージを、送信先として相応しい対象車両に自動で送信することが可能となる。
【０１０４】
（２）優先関係判定部１０４が、自車両及び対象車両の位置情報に基づき検出した自車両及び対象車両の位置関係と、自車両及び対象車両の車両運動状態に関する情報に基づき検出した自車両及び対象車両の各車両の挙動とに基づき、交通シーンにおける自車両と対象車両との間の各車両の進路に対する優先・非優先の関係を判定する。候補リスト作成部１０５が、優先関係判定部１０４で判定した前記優先・非優先の関係と、交通シーン判定部１０３で判定した交通シーンと、メモリ４２に記憶された複数種類のメッセージ情報とに基づき、前記判定した交通シーンと、前記優先・非優先の関係とに応じたメッセージ情報の候補リストを作成する。送信メッセージ選択部１０７が、候補リスト作成部１０５で作成した候補リストから、ドライバの意思に応じた内容のメッセージ情報を選択する。
【０１０５】
自車両及び対象車両の位置関係と、自車両及び対象車両の挙動とに基づき、自車両と対象車両との間の優先・非優先の関係を判定する。交通シーンと、優先・非優先の関係と、複数種類のメッセージ情報とに基づき、メッセージ情報の候補リストを作成する。そして、作成した候補リストから、ドライバの意思に応じた内容のメッセージ情報を選択する。このようにして選択したメッセージ情報を対象車両に送信するようにした。
これによって、判定した交通シーンと自車両と対象車両との間の優先・非優先の関係とに対応し、かつドライバの意思に応じた適切なメッセージを、ドライバの手を煩わせることなく、対象車両に自動で送信することが可能となる。
【０１０６】
（３）送信メッセージ選択部１０７が、優先関係判定部１０４で判定した前記優先・非優先の関係と、ドライバ情報入力部１０６で入力した発話音声の情報とに基づき、自車両が優先側であると判定されると、ドライバの発話情報から認識されるメッセージと、予め設定された進路の譲歩に関するメッセージ及び進路の譲歩拒否に関するメッセージとをそれぞれ比較し、最も近い意味合いを有すると判定されたメッセージに対応するメッセージ情報を候補リストから選択する。
【０１０７】
例えば、ドライバの発話音声から認識されるメッセージが、「いいよ」、「どうぞ」などといった内容であれば、ドライバに進路譲歩の意思があると判定する。一方、「ダメ！」、「まて」といった内容であれば、ドライバに進路譲歩を拒否する意思があると判定する。このような判定を行うことが可能なように、進路の譲歩に関するメッセージ及び進路の譲歩拒否に関するメッセージを設定する。
これによって、候補リストから、進路の譲歩又は譲歩拒否に関する適切なメッセージを選択することが可能となる。
【０１０８】
（４）お礼メッセージ情報自動送信部１１２が、優先関係判定部１０４で判定した前記優先・非優先の関係に基づき、自車両が非優先でありかつ対象車両が優先であると判定した場合に、対象車両から進路の譲歩に関するメッセージ情報をメッセージ情報受信部１１０で受信したと判定し、かつ自車両情報に基づき自車両が予め設定された時間内に譲歩を受けた進路の通行を完了したと判定すると、対象車両に対して自動的にお礼に関するメッセージ情報を送信する。
【０１０９】
優先側の対象車両から進路の譲歩に関するメッセージ情報を受信したと判定し、その後、自車両が譲歩された進路の通行を予め設定した時間内に完了したと判定すると、対象車両に対してお礼に関するメッセージを自動で送信するようにした。
これによって、予め設定した時間内に譲歩を受けた進路の通行を完了後において、ドライバの手を煩わせることなく、お礼に関するメッセージを、対象車両に自動で送信することが可能となる。
【０１１０】
（５）交通シーン判定部１０３が、自車両及び対象車両の位置関係と、自車両及び対象車両の挙動とに基づき、対象車両が自車両の走行車線に対して交差する走行車線に位置し、かつ自車両と対象車両の進行方向が交差する方向であると判定すると、自車両と対象車両とが出会い頭に遭遇する出会い頭のシーンが発生すると判定する。優先関係判定部１０４が、交通シーン判定部１０３の判定結果に基づき、出会い頭のシーンが発生したと判定した場合に、自車両及び対象車両の位置関係と、自車両及び対象車両の挙動とに基づき、対象車両が自車両の走行車線に対して交差する向きで停止していると判定するか又は対象車両が自車両の走行車線に対して交差する向きに予め設定した速度閾値以下の速度で移動していると判定すると、対象車両を非優先側の車両と判定する。
【０１１１】
対象車両が自車両の走行車線に対して交差する走行車線に位置し、かつ自車両と対象車両の進行方向が交差する方向である場合に、出会い頭のシーンが発生すると判定する。そして、出会い頭のシーンにおいて、対象車両が自車両の走行車線に対して交差する向きで停止しているか又は交差する向きに予め設定した速度閾値以下の速度で移動している場合に、対象車両を非優先側の車両と判定するようにした。
これによって、出会い頭のシーンと、自車両が優先側及び対象車両が非優先側である判定結果とに対応し、かつドライバの意思に応じた適切なメッセージを、ドライバの手を煩わせることなく、対象車両に自動で送信することが可能となる。
【０１１２】
（６）交通シーン判定部１０３が、自車両及び対象車両の位置関係と、自車両及び対象車両の挙動とに基づき、対象車両が自車両の走行車線に対して対向する走行車線に位置していると判定すると、右折のシーンが発生すると判定する。優先関係判定部１０４は、交通シーン判定部１０３の判定結果に基づき、右折のシーンが発生すると判定した場合に、自車両及び対象車両の位置関係と、自車両及び対象車両の挙動とに基づき、対象車両が自車両と対向して停止していると判定するか又は対象車両が自車両と対向する方向に予め設定した速度閾値以下の速度で移動していると判定すると、対象車両を非優先側の車両と判定する。
【０１１３】
対象車両が自車両の走行車線に対して対向する走行車線に位置していると判定すると、右折のシーンが発生すると判定する。そして、右折のシーンにおいて、対象車両が自車両と対向して停止しているか又は対象車両が自車両と対向する方向に予め設定した速度閾値以下の速度で移動している場合に、対象車両を非優先側の車両と判定するようにした。
これによって、右折のシーンと、自車両が優先側及び対象車両が非優先側である判定結果とに対応し、かつドライバの意思に応じた適切なメッセージを、ドライバの手を煩わせることなく、対象車両に自動で送信することが可能となる。
【０１１４】
（７）ドライバ情報入力部１０６が、ドライバの手振りの撮影画像情報を入力する。送信メッセージ選択部１０７が、手振りの撮影画像情報に基づきドライバの意思を推定し、対象車両に送信するメッセージ情報として、前記推定したドライバの意思に応じた内容のメッセージ情報を選択する。
ドライバの手振りに基づきドライバの意思を推定するようにした。これによって、ドライバの意思に応じた、適切な内容のメッセージを対象車両に送信することが可能となる。
【０１１５】
（８）ドライバ情報入力部１０６が、ドライバの表情の撮影画像情報を入力する。送信メッセージ選択部１０７が、ドライバの表情の撮影画像情報に基づきドライバの意思を推定し、対象車両に送信するメッセージ情報として、前記推定したドライバの意思に応じた内容のメッセージ情報を選択する。
ドライバの表情の撮影画像情報に基づきドライバの意思を推定するようにした。これによって、ドライバの意思に応じた、より適切な内容のメッセージを対象車両に送信することが可能となる。
【０１１６】
（９）ナビゲーション装置３２が、自車両の位置情報に応じた場所の道路地図情報を検索可能な道路地図データベースを備える。自車両情報収集部１０１が、自車両の位置情報に応じた道路地図情報を自車両情報として更に収集する。
これによって、対象車両の抽出、交通シーンの判定、優先・非優先の関係の判定において、道路地図情報から解る道路形状情報などを用いることが可能となる。これによって、より正確に、対象車両の抽出、交通シーンの判定、優先・非優先の関係の判定を行うことが可能となる。
【０１１７】
（１０）自車両情報収集部１０１が、自車両情報として、車両の運転を支援する情報を提供する外部装置と通信を行って自車両周辺の交通情報を更に収集する。
これによって、対象車両の抽出、交通シーンの判定、優先・非優先の関係の判定において、交通情報から解る道路形状情報などを用いることが可能となる。これによって、より正確に、対象車両の抽出、交通シーンの判定、優先・非優先の関係の判定を行うことが可能となる。
【０１１８】
〔第２実施形態〕
次に、本発明の第２実施形態について図面に基づき説明する。図７〜図８は、本発明に係る通行支援装置及び通行支援方法の第２実施形態を示す図である。なお、上記第１実施形態と同様な構成について同一の符号を付して説明する。
【０１１９】
（構成）
本実施形態の通行支援装置を搭載した車両は、上記第１実施形態と同様な構成となる。但し、本実施形態では、自車両情報収集部１０１が、ナビゲーション装置３２から、又は通信装置３６を介してＤＳＳＳ等のインフラストラクチャ（路上などに設置された外部装置等）から、自車両周辺の交差点の情報を収集する。また、交通シーン判定部１０３は、交通シーンの判定において、自車両情報収集部１０１の収集した交差点の情報に基づき、交通シーンの対象となる交差点が、信号機を有するか否かを判定する。コントローラ１０は、交通シーン判定部１０３の判定結果に基づき、交通シーンの対象となる交差点が信号機を有すると判定すると、通行支援に係る以降の処理を実行しないように動作を制限する。このような点が、上記第１実施形態と異なる。
【０１２０】
（通行支援処理）
次に、本実施形態の通行支援処理の処理手順について説明する。
図７は、本実施形態の通行支援処理の処理手順の一例を示すフローチャートである。
電源がＯＮ（イグニッションＯＮ）され、コントローラ１０において専用のプログラムが実行されると、図７に示すように、まずステップＳ２００に移行する。
ステップＳ２００では、周辺車両情報収集部１００において、通信装置３６を介して、周辺車両情報の送信要求を周辺車両に対して送信し、周辺車両から周辺車両情報を収集する。そして、収集した周辺車両情報を、対象車両抽出部１０２に出力して、ステップＳ２０２に移行する。なお、本実施形態においても、周辺車両情報の収集は、予め設定された通信周期で繰り返し実行される。
【０１２１】
ステップＳ２０２では、自車両情報収集部１０１において、各種センサから入力されるセンサ検出信号、各種装備品のスイッチから入力されるスイッチ信号に基づき、自車両情報を収集する。更に、メモリ４２から、自車両ＩＤを読み出す。そして、収集した自車両情報と読み出した自車両ＩＤとを、対象車両抽出部１０２と、自車両情報送信部１０９と、お礼メッセージ情報自動送信部１１２とにそれぞれ出力して、ステップＳ２０４に移行する。なお、本実施形態においても、自車両情報の収集は、予め設定された周期（例えば、周辺車両情報の収集と同じ周期）で繰り返し実行される。
【０１２２】
また、自車両情報としては、上記第１実施形態と同様に、車両ＩＤ、メッセージセットバージョン、タイムスタンプ等の車両の識別や通信制御に関する情報と、位置（緯度、経度）、車速、進行方向等の車両の運動状態に関する情報と、方向指示スイッチ４０、ブレーキランプスイッチ４１、ハザードスイッチ、シフトポジション等の車両の装備品の状態に関する情報とを含む。
【０１２３】
更に、本実施形態では、自車両周辺の交差点情報も、自車両情報として収集する。なお、交差点情報は、ナビゲーション装置３２から取得してもよいし、ＤＳＳＳ等のインフラストラクチャから取得してもよい。
ステップＳ２０４では、対象車両抽出部１０２において、周辺車両情報と、自車両情報とに基づき、周辺車両の中から自車両の通行に影響を与える可能性のある対象車両を抽出する処理を実行する。そして、対象車両抽出部１０２において、抽出処理の抽出結果と、該抽出処理に関連する自車両情報及び周辺車両情報とを、交通シーン判定部１０３と、優先関係判定部１０４とにそれぞれ出力して、ステップＳ２０６に移行する。
【０１２４】
ステップＳ２０６では、交通シーン判定部１０３において、抽出結果に基づき対象車両が存在するか否かを判定し、存在すると判定した場合(Yes)は、ステップＳ２０８に移行し、そうでないと判定した場合(No)は、ステップＳ２０４に移行する。
ステップＳ２０８に移行した場合は、交通シーン判定部１０３において、自車両情報と、周辺車両情報のうち対象車両の情報とに基づき、自車両と対象車両との間で発生する交通シーンを判定する。このとき、自車両情報及び周辺車両情報のうち交差点情報に基づき、対象の交通シーンにおける交差点の有無、交差点がある場合にその交差点の信号機の有無等も交通シーンとして判定する。その後、交通シーンの判定結果を、優先関係判定部１０４と、候補リスト作成部１０５とにそれぞれ出力して、ステップＳ２１０に移行する。
【０１２５】
ステップＳ２１０では、交通シーン判定部１０３において、交通シーンの判定結果に基づき、交通シーンに交差点があり、かつこの交差点が信号機を有する交差点か否かを判定する。そして、有すると判定した場合(Yes)は、ステップＳ２０４に移行し、そうでないと判定した場合(No)は、ステップＳ２１２に移行する。
つまり、交通シーンの舞台となる交差点に、信号機が設置されている場合は、信号機の指示に従った通行を行う必要があり、コントローラ１０は、譲歩等の必要が無いと判定する。そのため、信号機を有すると判定した場合は、以降の処理を実施しないように制限する。
【０１２６】
ステップＳ２１２に移行した場合は、優先関係判定部１０４において、自車両情報と、周辺車両情報のうち対象車両の情報と、交通シーンの判定結果とに基づき、自車両と対象車両との優先／非優先の関係を判定する。その後、優先／非優先の判定結果を、候補リスト作成部１０５に出力して、ステップＳ２１４に移行する。
ステップＳ２１４では、候補リスト作成部１０５において、優先／非優先の判定結果に基づき、自車両が優先側の車両か否かを判定する。そして、自車両が優先側の車両であると判定した場合(Yes)は、ステップＳ２１６に移行し、そうでないと判定した場合(No)は、ステップＳ２３２に移行する。
【０１２７】
ステップＳ２１６に移行した場合は、候補リスト作成部１０５において、交通シーンの判定結果と、優先側の車両である判定結果とに基づき、メモリ４２に格納された複数種類のメッセージ情報から、これら判定結果に応じたメッセージに対応するコード情報を読み出す。そして、読み出したコード情報から候補リストを作成し、作成した候補リストを送信メッセージ選択部１０７に出力して、ステップＳ２１８に移行する。
【０１２８】
ステップＳ２１８では、ドライバ情報入力部１０６において、ドライバ情報の入力があったか否かを判定する。そして、入力があったと判定した場合(Yes)は、入力されたドライバ情報を送信メッセージ選択部１０７に出力して、ステップＳ２２０に移行し、そうでないと判定した場合(No)は、ステップＳ２０４に移行する。
ステップＳ２２０に移行した場合は、送信メッセージ選択部１０７において、ドライバ情報に基づき、ドライバの進路の譲歩に関する意思を推定して、ステップＳ２２２に移行する。
【０１２９】
ステップＳ２２２では、送信メッセージ選択部１０７において、ステップＳ２２０で判定したドライバの意思に応じた内容のメッセージに対応するコード情報を、候補リストから選択する。そして、選択したコード情報を、メッセージ情報送信部１０８に出力して、ステップＳ２２４に移行する。
ステップＳ２２４では、メッセージ情報送信部１０８において、入力されたコード情報と、対象車両のＩＤとを、送信指令と共に、通信装置３６に出力して、ステップＳ２２６に移行する。これにより、通信装置３６は、対象車両のＩＤで特定される車両に対して、コード情報を無線送信する。
【０１３０】
ステップＳ２２６では、メッセージ情報受信部１１０において、送信したコード情報は、譲歩メッセージに対応するコード情報であるか否かを判定する。そして、譲歩メッセージに対応するコード情報であると判定した場合(Yes)は、ステップＳ２２８に移行し、そうでないと判定した場合(No)は、ステップＳ２０４に移行する。
ステップＳ２２８に移行した場合は、メッセージ情報受信部１１０において、通信装置３６を介して、お礼のメッセージに対応するコード情報を受信したか否かを判定する。そして、お礼のメッセージに対応するコード情報を受信したと判定した場合(Yes)は、受信したコード情報を、メッセージ提示部１１１に出力して、ステップＳ２３０に移行する。一方、お礼のメッセージに対応するコード情報を予め設定した時間期間において受信しなかったと判定した場合(No)は、ステップＳ２０４に移行する。
【０１３１】
ステップＳ２３０に移行した場合は、メッセージ提示部１１１において、お礼メッセージに対応するコード情報に対応するメッセージの音声情報を、メモリ４２から読み出す。そして、読み出した音声情報を、オーディオ機器３７に出力して、ステップＳ２０４に移行する。
一方、ステップＳ２１４において、自車両が非優先車両であると判定されステップＳ２３２に移行した場合は、メッセージ情報受信部１１０において、通信装置３６を介して、対象車両からの譲歩メッセージに対応するコード情報を受信したか否かを判定する。そして、受信したと判定した場合(Yes)は、受信したコード情報をメッセージ提示部１１１に出力して、ステップＳ２３４に移行する。一方、譲歩メッセージに対応するコード情報を受信しなかったと判定した場合(No)は、ステップＳ２０４に移行する。
【０１３２】
ステップＳ２３４に移行した場合は、メッセージ提示部１１１において、コード情報に対応する譲歩メッセージの音声情報を、メモリ４２から読み出す。そして、読み出した音声情報を、オーディオ機器３７に出力して、ステップＳ２３６に移行する。
ステップＳ２３６では、お礼メッセージ情報自動送信部１１２において、周期的に入力される自車両情報に基づき、自車両の譲歩進路への移動実施の挙動があったか否かを判定する。そして、移動実施の挙動があったと判定した場合(Yes)は、ステップＳ２３８に移行し、そうでないと判定した場合(No)は、ステップＳ２４４に移行する。
【０１３３】
ステップＳ２３８に移行した場合は、お礼メッセージ情報自動送信部１１２において、移動を完了したと判定した時点のタイマ変数ＴＣの値が、予め設定した閾値以下か否かを判定する。そして、閾値以下であると判定した場合(Yes)は、ステップＳ２４０に移行し、そうでないと判定した場合(No)は、一連の処理を終了する。
ステップＳ２４０に移行した場合は、お礼メッセージ情報自動送信部１１２において、お礼メッセージに対応するコード情報と対象車両のＩＤとを、送信指令と共に通信装置３６に出力して、ステップＳ２４２に移行する。
【０１３４】
ステップＳ２４２では、お礼メッセージ情報自動送信部１１２において、タイマ変数ＴＣをクリアして、ステップＳ２０４に移行する。
一方、ステップＳ２３６において、自車両の譲歩進路への移動実施の挙動が無いと判定されステップＳ２４４に移行した場合は、お礼メッセージ情報自動送信部１１２において、タイマ変数ＴＣをインクリメントして、ステップＳ２３６に移行する。
上記説明した以外の他の構成については、上記第１実施形態と同様となる。
【０１３５】
（動作）
次に、本実施形態の動作を説明する。
図８は、信号機のある交差点における、出会い頭のシーンの一例を示す図である。
イグニッションスイッチがＯＮされ、電源がＯＮされると、コントローラ１０において専用のプログラムが実行される。これにより、初期化処理が実行され、プログラムで用いる各種変数等が初期化される。初期化処理後は、各種センサ、各種装備品、ナビゲーション装置３２、通信装置３６等が作動して、これらによって取得される各種情報がコントローラ１０に入力される。
【０１３６】
コントローラ１０は、まず、周辺車両情報収集部１００において、メモリ４２から自車両ＩＤを読み出す。周辺車両情報収集部１００は、読み出した自車両ＩＤに基づき、周辺車両情報の送信要求を生成する。送信要求には、自車両ＩＤが含まれている。そして、通信装置３６を介して、自車両の周辺に存在する周辺車両の各車両に対して、周辺車両情報の送信要求を送信する（ブロードバンド送信）。これによって、自車両の周辺に他車両が存在する場合は、各他車両から周辺車両情報が、他車両の備える通信装置３６を介して自車両へと送信される。自車両は、この周辺車両情報を、通信装置３６を介して、周辺車両情報収集部１００において受信する。これにより、周辺車両情報が収集される（Ｓ２００）。ここでは、通信周期を１００[ｍｓ]とし、自車両情報を１００[ｍｓ]周期で繰り返し収集する。
【０１３７】
また、周辺車両情報として、車両ＩＤと、メッセージセットバージョンと、位置情報（緯度、経度）と、車速と、進行方向と、方向指示スイッチ４０及びブレーキランプスイッチ４１のオン・オフ状態を示す情報とを収集したとする。加えて、ナビゲーション装置３２から取得可能な周辺の道路情報と、周辺にＤＳＳＳ等のインフラストラクチャが存在する場合は、インフラストラクチャから通信装置３６を介して取得可能な交通情報とを収集する。
【０１３８】
次に、自車両情報収集部１０１において、ナビゲーション装置３２から入力される自車位置の情報と、各種センサから入力されるセンサ検出信号と、各種装備品のスイッチから入力されるスイッチ信号とに基づき、自車両の動作状態（挙動）に関する情報と、装備品に関する情報とを収集する。加えて、メモリ４２に格納された自車両ＩＤを読み出す（読み出しは１回のみ）。加えて、ナビゲーション装置３２から取得可能な周辺の道路情報と、周辺にＤＳＳＳ等のインフラストラクチャが存在する場合は、インフラストラクチャから通信装置３６を介して取得可能な交通情報とを収集する。これにより、自車両情報が収集される（Ｓ２０２）。自車両情報は、周辺車両情報に合わせて、１００[ｍｓ]周期で繰り返し収集される。
このようにして、周辺車両情報と自車両情報とが収集されると、対象車両抽出部１０２において、周辺車両の中から自車両の通行に影響のある対象車両を抽出する（Ｓ２０４）。
【０１３９】
以下、図８に例示する出会い頭のシーンを例に挙げて説明する。
なお、図８において、車両Ａ〜Ｅの全てが、本実施形態に係る通行支援装置を搭載した車両と同様の構成を有するものとする。
例えば、図８中Ｂが自車両である場合の動作を説明する。
対象車両抽出部１０２は、自車両Ｂの位置情報と、周辺車両である他車両Ａ、Ｃ、Ｄ、Ｅの位置情報とに基づき、まず、自車両Ｂと、他車両Ａ、Ｃ、Ｄ、Ｅとの位置関係を演算する。次に、対象車両抽出部１０２は、この位置関係と、自車両Ｂ、他車両Ａ、Ｃ、Ｄ、Ｅの各車両の進行方向とに基づき、自車両Ｂの進路と将来的に交差又は合流する進路を走行する他車両を対象車両として抽出する。図８の例では、自車両Ｂの合流（左折）又は右折ポイントに向かって走行し、かつ自車両Ｂの進行方向と交差する進行方向の他車両ＡとＤとが対象車両の候補として抽出される。次に、対象車両抽出部１０２は、自車両Ｂ、他車両Ａ、Ｄの方向指示スイッチ４０のオン・オフの情報に基づき対象車両を絞り込む。ここでは、自車両Ｂの左折側の方向指示スイッチがオン状態となっており、他車両Ａ、Ｄの方向指示スイッチ４０はいずれの方向もオフ状態になっていることとする。これにより、自車両Ｂは、他車両Ａの進路に合流する挙動を行っていると判定することができる。従って、自車両Ｂの通行に影響を与える可能性のある対象車両として、他車両Ａが抽出される。対象車両抽出部１０２は、この抽出結果を、交通シーン判定部１０３に出力する（Ｓ２０６）。
【０１４０】
なお、図８の例において、自車両Ｂの左折指示が遅い場合など、いずれの車両も方向指示スイッチ４０がオフ状態であると判定した場合は、他車両Ａ、Ｅの双方が対象車両として抽出される。
交通シーン判定部１０３は、対象車両抽出部１０２の抽出結果と、各車両の上記挙動とから、自車両Ｂと他車両Ａとの間で発生する交通シーンが、出会い頭のシーンであると判定する。加えて、交通シーン判定部１０３は、周辺にＤＳＳＳ等のインフラストラクチャが無い場合は、収集した情報に含まれる、自車両Ｂ及び他車両Ａの位置情報と、これら位置情報に対応した道路情報とに基づき、出会い頭のシーンの舞台となる交差点に、信号機が有るか否かを判定する（Ｓ２１０）。図８の例では、出会い頭のシーンの舞台となる交差点に、各車両の進路に専用の信号機が設置されている。従って、道路情報には、信号機を有する交差点の情報が含まれることになり、交通シーン判定部１０３は、交差点に信号機があると判定する（Ｓ２１０のYes）。
【０１４１】
コントローラ１０は、交通シーン判定部１０３の上記信号機があるという判定結果に応じて、処理をＳ２０４に移行させ、以降の処理（Ｓ２１２〜Ｓ２４４）を実施しないように制限する。
なお、周辺にＤＳＳＳ等のインフラストラクチャがある場合は、インフラストラクチャから取得した交通情報に基づき、出会い頭のシーンの舞台となる交差点に信号機が有るか否かを判定することが可能である。
また、Ｓ２１２以降の動作については、上記第１実施形態のＳ１１０以降の動作と同様となるので説明を省略する。
【０１４２】
ここで、上記説明において、周辺車両情報収集部１００は、周辺車両情報収集手段を構成する。自車両情報収集部１０１は、自車両情報収集手段を構成する。対象車両抽出部１０２は、対象車両抽出手段を構成する。交通シーン判定部１０３は、交通シーン判定手段を構成する。優先関係判定部１０４は、優先関係判定手段を構成する。候補リスト作成部１０５は、候補リスト作成手段を構成する。ドライバ情報入力部１０６は、ドライバ情報入力手段を構成する。送信メッセージ選択部１０７は、送信メッセージ選択手段を構成する。メッセージ情報送信部１０８は、メッセージ情報送信手段を構成する。自車両情報送信部１０９は、自車両情報送信手段を構成する。メッセージ情報受信部１１０は、メッセージ情報受信手段を構成する。メッセージ提示部１１１は、メッセージ提示手段を構成する。お礼メッセージ情報自動送信部１１２は、お礼メッセージ情報自動送信手段を構成する。メッセージセットは、各交通シーンの内容に対応した複数種類のメッセージ情報を構成する。
【０１４３】
（本実施形態の効果）
本実施形態は、上記第１実施形態の効果に加えて、次のような効果を奏する。
（１）コントローラ１０が、交通シーン判定部１０３において、自車両の位置情報に応じた道路地図情報に基づき、自車両の位置する場所が、信号機を備えた交差点であると判定すると、当該交差点における通行支援に係る処理の実行を制限する。
信号機を備えた交差点で信号規制をされているのにも関わらず、自車両と対象車両との間で不要なメッセージのやり取りが発生するのを防ぐことが可能となる。
【０１４４】
（２）コントローラ１０が、交通シーン判定部１０３において、交通情報に基づき、自車両の位置する場所が、信号機を備えた交差点であると判定すると、当該交差点における通行支援に係る処理の実行を制限する。
信号機を備えた交差点で信号規制をされているのにも関わらず、自車両と対象車両との間で不要なメッセージのやり取りが発生するのを防ぐことが可能となる。
【０１４５】
（変形例）
（１）上記実施形態において、メッセージ情報送信部１０８、メッセージ情報受信部１１０、お礼メッセージ情報自動送信部１１２は、いずれもメッセージの音声情報ではなく、音声情報に対応付けられたコード情報を送受信する構成とした。この構成に限らず、メッセージの音声情報を直接送受信する構成としてもよい。この構成によって、例えば、相手側とメッセージセットのバージョンが合わないような場合でも、ドライバの意思に応じた適切なメッセージを送信又は受信することが可能となる。
【０１４６】
（２）上記実施形態において、メッセージ提示部１１１は、オーディオ機器３７においてスピーカからの音声メッセージの出力によって、ドライバに対してメッセージを提示する構成とした。この構成に限らず、各メッセージに対応する文字情報をメモリ４２に格納しておき、音声メッセージの出力と共に、モニタ３３にメッセージの文字情報を表示する構成としてもよい。この構成によって、譲歩メッセージや拒否のメッセージをうまく聞き取れなかったときなどに、モニタ３３に表示された文字メッセージを目視で見て確認をすることが可能となる。
【０１４７】
また、上記実施形態は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記実施形態に限定されるものではなく、本発明の目的を達成できる範囲での変形、改良、均等物等は本発明に含まれるものである。
【符号の説明】
【０１４８】
６                ステアリングホイール
１０              コントローラ
１１              加速度センサ
１２              ヨーレートセンサ
１３              舵角センサ
１５ｉ            車輪速センサ
１７              シフトセンサ
３２              ナビゲーション装置
３３              モニタ
３６              通信装置
３７              オーディオ機器
３８              マイク
４０              方向指示スイッチ
４１              ブレーキランプスイッチ
４２              メモリ
１００            周辺車両情報収集部
１０１            自車両情報収集部
１０２            対象車両抽出部
１０３            交通シーン判定部
１０４            優先関係判定部
１０５            候補リスト作成部
１０６            ドライバ情報入力部
１０７            送信メッセージ選択部
１０８            メッセージ情報送信部
１０９            自車両情報送信部
１１０            メッセージ情報受信部
１１１            メッセージ提示部
１１２            お礼メッセージ情報自動送信部
【図１】
2012252407.tif 000003
【図２】
2012252407.tif 000004
【図３】
2012252407.tif 000005
【図４】
2012252407.tif 000006
【図５】
2012252407.tif 000007
【図６】
2012252407.tif 000008
【図７】
2012252407.tif 000009
【図８】
2012252407.tif 000010